(57)【要約】【課題】  複数の異なる時間単位のスケジューリングが混在する無線フレーム構造において、適切に無線通信が可能な技術の提供を目的とする。【課題を解決するための手段】  開示の送信装置は、第１無線リソースによる第１データの送信と、前記第１無線リソースよりも長い時間長の第２無線リソースによる第２データの送信とが可能な送信装置であって、前記第２無線リソースにおいて、前記第１無線リソースとは時間軸方向で重複する第１領域における前記第２無線リソースの一部に、既知信号を挿入し、前記第１データと前記第２データとを送信するように構成される。
2019186983.tif 000002
【特許請求の範囲】
【請求項１】
第１無線リソースによる第１データの送信と、前記第１無線リソースよりも長い時間長の第２無線リソースによる第２データの送信とが可能な送信装置であって、
前記第１無線リソースと前記第２無線リソースとが時間軸方向で重複する第１領域における前記第２無線リソースの一部に、既知信号を挿入し、
前記第１データと前記第２データとを送信する、
処理を実行する処理部、
を備える
ことを特徴とする送信装置。
【請求項２】
請求項１に記載の送信装置であって、
前記処理部は、
前記第１領域における前記第２無線リソースに割当てる送信電力を、前記第１領域外における前記第２無線リソースに割当てる送信電力よりも低くする、
ことを特徴とする送信装置。
【請求項３】
請求項１又は２に記載の送信装置であって、
前記処理部は、
前記第２データを前記第２無線リソースにマッピングした後に、第１データに対する前記第１無線リソースの割当てを受けた場合、前記割当てられた前記第１無線リソースと、前記第２無線リソースとが、時間軸方向で重複する範囲を前記第１領域とし、
前記第１領域における前記第２無線リソースの一部に、前記既知信号を挿入する、
ことを特徴とする送信装置。
【請求項４】
請求項１乃至３の何れか一つに記載の送信装置であって、
前記処理部は、
周期的に割り当てられた前記第１無線リソースと、前記第２データがマッピングされた前記第２無線リソースとが、時間軸方向で重複する範囲を前記第１領域とし、
前記第１領域における前記第２無線リソースの一部に、前記既知信号を挿入する、
ことを特徴とする送信装置。
【請求項５】
請求項１乃至４の何れか一つに記載の送信装置であって、
前記処理部は、
前記第２データに適用される変調方式が直交振幅変調の場合、前記第１領域における前記第２無線リソースの一部に、前記既知信号を挿入する、
ことを特徴とする送信装置。
【請求項６】
請求項１乃至５の何れか一つに記載の送信装置であって、
前記処理部は、
前記第２データに適用される変調方式に関連付けられた配置パターンに従って、前記第１領域における前記第２無線リソースの一部に前記既知信号を挿入する、
ことを特徴とする送信装置。
【請求項７】
第１無線リソースにより送信された第１データと、前記第１無線リソースよりも長い時間長の第２無線リソースにより送信された第２データを受信することが可能な受信装置であって、
前記第１無線リソースと前記第２無線リソースとを受信し、  
前記第１無線リソースと前記第２無線リソースとが時間軸方向で重複する第１領域を特定し、
前記第２無線リソースから前記第２データをデコードする際に、前記第１領域おける前記第２無線リソースの一部に配置される既知信号に相当する部分をデコード対象から除外する、
処理を実行する処理部を備える
ことを特徴とする受信装置。
【請求項８】
請求項７に記載の受信装置であって、
前記処理部は、
前記第２データに適用される変調方式が直交振幅変調の場合、前記第１領域における前記第２無線リソースの一部に配置された前記既知信号に相当する部分をデコード対象から除外する、
ことを特徴とする受信装置。
【請求項９】
請求項７又は８に記載の受信装置であって、
前記処理部は、
前記第２データに適用される変調方式に関連付けられた配置パターンに従って、前記第１領域における前記第２無線リソースの一部に配置された前記既知信号に相当する部分をデコード対象から除外する、
ことを特徴とする受信装置。
【請求項１０】
送信装置と受信装置とを有し、前記送信装置と前記受信装置の間で、第１無線リソースを用いて第１データの伝送と、前記第１無線リソースよりも長い時間長の第２スロットを用いて第２データの伝送を同時に行なうことが可能な無線通信システムであって、
前記送信装置は、
前記第２データに対して割当てられた前記第２無線リソースに、前記第２データをマッピングし、
前記第２データがマッピングされた前記第２無線リソースにおいて、前記第１データをマッピング可能な前記第１無線リソースとは時間軸方向で重複する第１領域における前記第２無線リソースの一部に、既知信号を挿入して送信する、
処理を実行する処理部を備え、
前記受信装置は、
前記第１データに対して割当てられた前記第１無線リソースの位置を特定し、
前記第１無線リソースと前記第２無線リソースとが時間軸方向で重複する第１領域を特定し、
前記第２無線リソースから前記第２データをデコードする際に、前記第１領域における前記第２無線リソースの一部に配置される前記既知信号に相当する部分をデコード対象から除外する、
処理を実行する処理部を備える
ことを特徴とする無線通信システム。
【請求項１１】
請求項１０に記載の無線通信システムであって、
前記送信装置の前記処理部は、
前記第１領域における前記第２無線リソースに割当てる送信電力を、前記第１領域外における前記第２無線リソースに割当てる送信電力よりも低くする、
ことを特徴とする無線通信システム。
【請求項１２】
請求項１０又は１１に記載の無線通信システムであって、
前記送信装置の前記処理部は、
前記第２データを前記第２無線リソースにマッピングした後に、前記第１データに対する前記第１無線リソースの割当てを受けた場合、前記割当てられた前記第１無線リソースと、前記第２無線リソースとが、時間軸方向で重複する範囲を前記第１領域とし、
前記第１領域における前記第２無線リソースの一部に、前記既知信号を挿入する、
ことを特徴とする無線通信システム。
【請求項１３】
請求項１０乃至１２の何れか一つに記載の無線通信システムであって、
前記送信装置の前記処理部は、
周期的に割り当てられた前記第１無線リソースと、前記第２データがマッピングされた前記第２無線リソースとが、時間軸方向で重複する範囲を前記第１領域とし、
前記第１領域における前記第２無線リソースの一部に、前記既知信号を挿入する、
ことを特徴とする無線通信システム。
【請求項１４】
請求項１０乃至１３の何れか一つに記載の無線通信システムであって、
前記送信装置の前記処理部は、
前記第２データに適用される変調方式が直交振幅変調の場合、前記第１領域における前記第２無線リソースの一部に、前記既知信号を挿入し、
前記受信装置の前記処理部は、
前記第２データに適用される変調方式が前記直交振幅変調の場合、前記第１領域における前記第２無線リソースの一部に配置された前記既知信号に相当する部分をデコード対象から除外する、
ことを特徴とする無線通信システム。
【請求項１５】
請求項１０乃至１４の何れか一つに記載の無線通信システムであって、
前記送信装置の前記処理部は、
前記第２データに適用される変調方式に関連付けられた配置パターンに従って、前記第１領域における前記第２無線リソースの一部に前記既知信号を挿入し、
前記受信装置の前記処理部は、
前記第２データに適用される変調方式に関連付けられた前記配置パターンに従って、前記第１領域における前記第２無線リソースの一部に配置された前記既知信号に相当する部分をデコード対象から除外する、
ことを特徴とする無線通信システム。
【請求項１６】
第１無線リソースを用いた第１データの送信と、前記第１無線リソースよりも長い時間長の第２無線リソースを用いた第２データの送信とを行う際、前記第１無線リソースと前記第２無線リソースが時間軸方向で重複する場合、前記第１無線リソースと前記第２無線リソースとが重複する時間領域における前記第２無線リソースの部分の送信電力を、前記重複する時間領域以外の時間領域における前記第２無線リソースの部分の送信電力とは異なるものにし、前記重複する時間領域における前記第２無線リソースの一部に既知信号を挿入することを特徴とする無線通信方法。
【発明の詳細な説明】
【技術分野】
【０００１】
本発明は、次世代移動通信システムにおける送信装置、受信装置、無線通信システム、及び無線通信方法に関する。
【背景技術】
【０００２】
近年、携帯電話システム（セルラーシステム）等の無線通信システム（移動通信システムとも称され得る）について様々なユースケースを想定し、無線通信（移動通信とも称され得る）の更なる高速化・大容量化等を図るため、次世代の無線通信技術について議論が行われている。例えば、標準化団体である３ＧＰＰ（3rd Generation Partnership Project）では、ＬＴＥ（Long Term Evolution）と呼ばれる通信規格や、ＬＴＥの無線通信技術をベースとしたＬＴＥ−アドバンスト（LTE-Advanced）と呼ばれる通信規格の仕様策定を既に行い、その機能の拡張のための検討作業が継続的に行なわれている。例えば、ＩＴＵ−Ｒ(International Telecommunication Union Radio communications sector)から提示された運用シナリオや技術要件の内容を実現する第五世代移動通信システム（５Ｇシステムとも称され得る）の標準化に関する議論が行われている。【０００３】
５Ｇシステム以降の次世代移動通信システムにおいては、例えば、触覚通信や拡張現実など、従来と異なるレベルの通信性能が要求されるサービスの登場が期待されている。そのような新たなサービスに対応するため、５Ｇシステムでは、運用形態を柔軟に変更し得る設計方針が採られている。例えば、ＬＴＥやＬＴＥ−アドバンストなどの第４世代移動通信システム（４Ｇシステムとも称され得る）では、スケジューリングの時間単位が固定的であったのに対し、５Ｇシステムでは、スケジューリングの時間単位の変更を許容することが検討されている。
【先行技術文献】
【特許文献】
【０００４】
【特許文献１】国際公開２０１７／１６４２２２号
【非特許文献】
【０００５】
【非特許文献１】3GPP TS 36.211 V14.4.0 （2017-09）
【非特許文献２】3GPP TS 36.212 V14.4.0 （2017-09）
【非特許文献３】3GPP TS 36.213 V14.4.0 （2017-09）
【非特許文献４】3GPP TS 36.300 V14.4.0 （2017-09）
【非特許文献５】3GPP TS 36.321 V14.4.0 （2017-09）
【非特許文献６】3GPP TS 36.322 V14.1.0 （2017-09）
【非特許文献７】3GPP TS 36.323 V14.4.0 （2017-09）
【非特許文献８】3GPP TS 36.331 V14.4.0 （2017-09）
【非特許文献９】3GPP TS 36.413 V14.4.0 （2017-09）
【非特許文献１０】3GPP TS 36.423 V14.4.0 （2017-09）
【非特許文献１１】3GPP TS 36.425 V14.0.0 （2017-03）
【非特許文献１２】3GPP TS 37.340  V2.0.0（2017-12）
【非特許文献１３】3GPP TS 38.201  V1.1.0（2017-11）
【非特許文献１４】3GPP TS 38.202  V1.1.0（2017-11）
【非特許文献１５】3GPP TS 38.211  V1.2.0（2017-11）
【非特許文献１６】3GPP TS 38.212  V1.2.0（2017-11）
【非特許文献１７】3GPP TS 38.213  V1.2.0（2017-11）
【非特許文献１８】3GPP TS 38.214  V1.2.0（2017-11）
【非特許文献１９】3GPP TS 38.215  V1.2.0（2017-11）
【非特許文献２０】3GPP TS 38.300  V2.0.0（2017-12）
【非特許文献２１】3GPP TS 38.321  V2.0.0（2017-12）
【非特許文献２２】3GPP TS 38.322  V2.0.0（2017-12）
【非特許文献２３】3GPP TS 38.323  V2.0.0（2017-12）
【非特許文献２４】3GPP TS 38.331  V0.4.0（2017-12）
【非特許文献２５】3GPP TS 38.401  V1.0.0（2017-12）
【非特許文献２６】3GPP TS 38.410  V 0.6.0（2017-12）
【非特許文献２７】3GPP TS 38.413  V0.5.0（2017-12）
【非特許文献２８】3GPP TS 38.420  V0.5.0（2017-12）
【非特許文献２９】3GPP TS 38.423  V0.5.0（2017-12）
【非特許文献３０】3GPP TS 38.470  V1.0.0（2017-12）
【非特許文献３１】3GPP TS 38.473  V1.0.0（2017-12）
【非特許文献３２】3GPP TR 38.801  V14.0.0（2017-04）
【非特許文献３３】3GPP TR 38.802  V14.2.0（2017-09）
【非特許文献３４】3GPP TR 38.803  V14.2.0（2017-09）
【非特許文献３５】3GPP TR 38.804  V14.0.0（2017-04）
【非特許文献３６】3GPP TR 38.900  V14.3.1（2017-07）
【非特許文献３７】3GPP TR 38.912  V14.1.0（2017-06）
【非特許文献３８】3GPP TR 38.913  V14.3.0（2017-06）
【非特許文献３９】3GPP R1-1718874, "On slot-based and non-slot-based scheduling", Huawei, Ericsson, AT&T, Nokia (2017-10)
【非特許文献３８】3GPP R1-180285, " eMBB and URLLC dynamic multiplexing and preemption indication on the uplink ", Qualcomm Incorporated (2018-3)
【発明の概要】
【発明が解決しようとする課題】
【０００６】
上述のように、５Ｇシステムの標準化に関する議論では、運用形態を柔軟に変更し得る設計方針が検討されている。本発明の発明者らは、この様な設計方針について鋭意検討を行った結果、５Ｇシステムの無線フレーム構造において、複数の異なる時間単位でのスケジューリングが混在するような運用形態が予想されることを見出した。例えば、スケジューリングの時間単位が１スロット単位のサービスと、１スロット単位に限定されない時間単位でスケジューリングされるサービスとが混在し得る。【０００７】
しかし、５Ｇシステムの標準化に関する議論では、基本的なシステム設計が主に検討されており、５Ｇシステムの無線サービスを実現するための具体的な実装技術については十分な検討がなされているとは言い難い。例えば、５Ｇシステムの無線フレーム構造において、複数の異なる時間単位のスケジューリングが混在した場合の実装上の課題などについては、議論があまり進んでいないのが実情である。【０００８】
開示の技術は、複数の異なる時間単位のスケジューリングが混在する無線フレーム構造において、適切に無線通信を行うことができる送信装置、受信装置、無線通信システム、及び無線通信方法を提供することを目的とする。
【課題を解決するための手段】
【０００９】
開示の一側面によれば、第１無線リソースによる第１データの送信と、前記第１無線リソースよりも長い時間長の第２無線リソースによる第２データの送信とが可能な送信装置であって、前記第２無線リソースにおいて、前記第１無線リソースとは時間軸方向で重複する第１領域における前記第２無線リソースの一部に、既知信号（参照信号、パイロット信号などとも称され得る）を挿入し、前記第１データと前記第２データとを送信する、
処理を実行する処理部、を備えるように構成される。
【発明の効果】
【００１０】
開示の技術の一側面によれば、複数の異なる時間単位でのスケジューリングが混在する無線フレーム構造において、適切に無線通信を行うことができる。
【図面の簡単な説明】
【００１１】
【図１】図１は、実施例１に係る無線通信システムの構成の一例を示す図である。
【図２】図２は、実施例１に係る無線通信システムの無線フレーム構造における第１スロットと第２スロットとの配置の一例を示す図である。
【図３】図３は、実施例１に係る無線通信システムの送信装置における処理の流れの一例を示す図である。
【図４】図４は、実施例１に係る無線通信システムの無線フレーム構造における第１無線リソースと第２無線リソースとの送信電力配分の一例を示す図である。
【図５】図５は、実施例２に係る無線通信システムの無線フレーム構造における既知信号の配置の一例を示す図である。
【図６】図６は、実施例２に係る無線通信システムの送信装置における処理の流れの一例を示す図である。
【図７】図７は、実施例２に係る無線通信システムの無線フレーム構造における第１無線リソースと第２無線リソースとの送信電力配分と既知信号の配置の一例を示す図である。
【図８】図８は、実施例２に係る無線通信システムの受信装置における処理の流れの一例を示す図である。
【図９】図９は、実施例２に係る無線通信システムの無線フレーム構造における第１無線リソースと第２無線リソースとの送信電力配分と既知信号の配置の更なる一例を示す図である。
【図１０】図１０は、実施例２に係る無線通信ステムの受信装置における処理の流れの更なる一例を示す図である。
【図１１】図１１は、実施例３に係る無線通信システムの送信装置における処理の流れの一例を示す図である。
【図１２】図１２は、実施例３に係る無線通信システムの受信装置における処理の流れの一例を示す図である。
【図１３】図１３は、実施例４に係る無線通信システムの送信装置における処理の流れの一例を示す図である。
【図１４】図１４は、第２無線リソースに適用される変調方式と第２既知信号の配置パターンとの関係の一例を示す図である。
【図１５】図１５は、第２既知信号の配置パターン（ＴＹＰＥ−Ａ）の一例を示す図である。
【図１６】図１６は、第２既知信号の配置パターン（ＴＹＰＥ−Ｂ）の一例を示す図である。
【図１７】図１７は、第２無線リソースに適用される変調方式と第２既知信号の配置パターンとの関係の他の一例を示す図である。
【図１８】図１８は、第２既知信号の配置パターン（ＴＹＰＥ−Ｃ）の一例を示す図である。
【図１９】図１９は、第２既知信号の配置パターン（ＴＹＰＥ−Ｄ）の一例を示す図である。
【図２０】図２０は、実施例４に係る無線通信システムの受信装置における処理の流れの一例を示す図である。
【図２１】図２１は、無線通信システム１における無線端末と無線基地局とのハードウェア構成の一例を示す図である。
【発明を実施するための形態】
【００１２】
上述の如く、５Ｇシステムの標準化に関する議論はまだ開始されたばかりである。例えば、複数の異なる時間単位のスケジューリングが混在する無線フレーム構造を用いて無線通信を行う場合の実装上の課題などについては、議論があまり進んでいないのが実情である。
【００１３】
本発明の発明者らは、この様な５Ｇシステムの柔軟な運用形態について鋭意検討を行った結果、複数の異なる時間単位のスケジューリングが混在する無線フレーム構造を用いて無線通信を行う場合、無線信号の送信電力が標準規格上の上限値を超えて出力され得るという問題を見出した。
【００１４】
例えば、５Ｇシステムでは、１スロットよりも短い時間単位での無線リソースのスケジューリングが許容される。１スロットよりも短い時間単位のスロットを、説明の便宜上、第１スロットと称することとする。なお、第１スロットは、ｍｉｎｉ−ｓｌｏｔ、ｎｏｎ−ｓｌｏｔと称されてもよい。第１スロットは、例えば１４ＯＦＤＭ（Orthogonal Frequency Division Multiplexing）シンボル（以降、シンボルと略記する）からなるスロット（第２スロットとも称され得る）よりも短い時間単位である。別言すると、第１スロットは、第２スロットを構成するシンボルの個数よりも少ない個数のシンボルで構成され、例えば、１シンボル（１個のシンボル）であってもよいし、２シンボル（２個のシンボル）から１３シンボル（１３個のシンボル）の何れかで構成されてもよい。さらに別言すると、第２スロットは、第１スロットよりも長い時間長を有する時間単位であり、第１スロットを構成するシンボルの個数よりも多い個数のシンボルで構成されればよい。なお、本開示におけるスロットは、無線通信システム１の無線フレーム構造におけるスケジューリングの時間単位の一例であり、タイムスロット、サブフレーム、区間、期間等と言い換えてもよい。
【００１５】
第１スロット（mini-slotと称されてもよい）と第２スロット（normal-slot、long-slotと称されてもよい）とが混在した無線フレーム構造では、例えば、第２スロットの無線リソースに第２サービスの送信データをマッピングした後に、第２スロットと重複する時間範囲における第１スロットの無線リソースに第１サービスの送信データがマッピングされ得る。この場合、第２サービスの送信データの送信電力は、第１サービスの送信データの送信電力を考慮していないかもしれない。例えば、第１サービスの送信データのマッピングが実行されるタイミングと、第２サービスの送信データのマッピングが実行されるタイミングとに時間差があるとき、第２サービスの送信データの送信電力は、第１サービスの送信データの送信電力を考慮していないかもしれない。
【００１６】
送信電力は、送信データのマッピング時に決定され、異なるタイミングでマッピングされる他の送信データの送信電力は考慮されないかもしれない。その結果、第１スロットと第２スロットとが重複する時間範囲において、第１サービスの送信データの送信電力と、第２サービスの送信データの送信電力とが重畳され、第１サービスと第２サービスとの総送信電力が標準規格における上限値（最大送信電力値とも称され得る）を超え得る。
【００１７】
一般的に、無線通信システムの標準規格における最大送信電力値を超える送信電力で無線信号を送信する送信装置は、無線通信システムにおける他の送信装置との無線通信を行う受信装置に対して干渉源となり得る。また、他の観点からも、送信電力が標準規格における最大送信電力値未満の範囲に収まるように、送信装置からの送信電力が適切に制御されることが望まれ得る。
【００１８】
また、他の側面によれば、複数の異なる時間単位のスケジューリングが混在する無線フレーム構造において、総送信電力が最大送信電力値未満であったとしても、複数の異なる時間単位の無線リソースが混在することで、無線信号の伝送品質に影響を与えるかもしれない。この様に、複数の異なる時間単位の無線リソースが混在することで生じ得る伝送品質の影響に対して耐性を確保するべく、無線通信を適切に制御することが望まれ得る。
【００１９】
しかし、５Ｇシステムの標準化に関する議論では、運用形態を柔軟に変更し得る設計方針を採ることについて合意が得られたものの、複数の異なる時間単位のスケジューリングが混在する無線フレーム構造において適切に無線通信を行うための具体的な方策は何も決められていない。
【００２０】
本発明の発明者らは、上述の技術的事情は、超高速大容量のデータ伝送サービスであるｅＭＢＢ（enhanced Mobile Broadband）や、超高信頼低遅延通信であるＵＲＬＬＣ（Ultra-Reliable and Low Latency Communications）や、超大量接続の無線サービスであるｍＭＴＣ（massive Machine Type Communications）などの多様な無線サービスを実現する上で障害となり得る、という独自の知見を得るに至った。なお、本開示における５Ｇシステムは、複数の異なる時間単位のスケジューリングが混在する無線フレーム構造をサポートする移動通信システム（次世代無線通信システムとも称され得る）の一例である。従来の移動通信システム（例えば４Ｇシステム）においても、複数の異なる時間単位のスケジューリングが混在する無線フレーム構造をサポートするように拡張された場合、上述の問題が生じ得ることに留意されたい。
【００２１】
以下、図面を参照して本発明を実施するための形態（以下、実施形態、実施例とも称する）について説明する。以下に示す実施形態の構成は、本発明の技術思想を具体化するための一例を示したものであり、本発明をこの実施形態の構成に限定することを意図するものではなく、請求の範囲に含まれるその他の実施形態にも等しく適用し得るものである。例えば、ＰＤＳＣＨ（Physical Downlink Shared CHannel）、ＰＵＳＣＨ（Physical Uplink Shared CHannel）などの各種チャネルの名称については、今後の５Ｇシステムの標準化に関する議論において、名称が変更され得ることも考えられる。また、サブフレーム、スロット、シンボル、リソースエレメント、リソースブロック、サブキャリアなど、無線フレーム構造に関する用語についても、同様である。本開示は、本発明の構成要素をこれらの名称を用いたものに限定する意図ではないことに留意されたい。
【００２２】
また、以下に示す各実施例は、適宜組み合わせて実施してもよいことはいうまでもない。ここで、非特許文献１ないし非特許文献３８の全ての内容は、参照することによりここに援用される。
【００２３】
＜実施例１＞  実施例１では、複数の異なる時間単位のスケジューリングが混在する無線フレームを許容する無線通信システムが例示される。実施例１に係る無線通信システムにおける送信装置は、第２サービスのデータがマッピングされた第２無線リソースにおける、第１サービスのデータをマッピング可能な第１無線リソースと時間軸方向で重複する範囲（第１領域とも称され得る）の送信電力を変更し得る。別言すると、実施例１に係る無線通信システムにおける送信装置は、第１無線リソースによる第１データの送信と、前記第１無線リソースよりも長い時間長の第２無線リソースによる第２データの送信とが可能に構成されており、第２無線リソースと第１無線リソースとが時間軸方向で重複する第１領域における第２無線リソースの部分の送信電力を変更し得る。実施例１の一側面によれば、複数の異なる時間単位のスケジューリングが混在する無線フレーム構造における送信電力超過を抑制することができ、送信装置と受信装置との間で、適切に無線通信を行うことができる。
【００２４】
図１は、実施例１に係る無線通信システム１の構成の一例を示す図である。図１に例示される無線通信システム１は、送信装置１０と受信装置２０とを有する。図１に図示される送信装置１０及び受信装置２０は、複数の性質（側面、観点とも称され得る）を抽象的に表現されたものであることに留意されたい。別言すると、送信装置１０及び受信装置２０の各々は、観察する側面に応じて、具体的に適用され得る装置が異なり得る。例えば、送信装置１０は、上りリンクの場合、無線端末（ＵＥ（User Equipment）、移動局とも称され得る）としての側面を有し、下りリンクの場合、無線基地局（ＢＳ（Base Station）とも称され得る）としての側面を有する。また、受信装置２０は、上りリンクの場合、無線基地局としての側面を有し、下りリンクの場合、無線端末としての側面を有する。さらに別言すると、無線端末は、上りリンクの場合、図１における送信装置１０に相当し、下りリンクの場合、図１における受信装置２０に相当する。無線基地局は、上りリンクの場合、図１における受信装置２０に相当し、下りリンクの場合、図１における送信装置１０に相当する。
【００２５】
図１に例示される送信装置１０は、複数の異なる時間単位のスケジューリングが混在する無線フレームを送信可能に構成される。別言すると、送信装置１０は、第１スロット単位の第１無線リソースで第１データがスケジューリングされる第１サービスと、前記第１スロットよりも長い時間長の第２スロット単位の第２無線リソースで第２データがスケジューリングされる第２サービスとが混在した無線フレーム構造で無線通信することが可能である。そして、送信装置１０は、第２サービスのデータがマッピングされた第２無線リソースにおける、第１サービスのデータをマッピング可能な第１無線リソースと時間軸方向で重複する範囲（第１領域とも称され得る）の送信電力を変更して送信し得る。なお、第１サービスは、例えば、第１論理チャネル、第１論理チャネル番号、第１区分、第１バッファ、第１送信バッファなどと言い換えてもよい。第２サービスは、例えば、第２論理チャネル、第２論理チャネル番号、第２区分、第２バッファ、第２送信バッファなどと言い換えてもよい。
【００２６】
図１に例示される受信装置２０は、複数の異なる時間単位のスケジューリングが混在する無線フレームを受信可能に構成される。別言すると、受信装置２０は、第１スロット単位の第１無線リソースで第１データがスケジューリングされる第１サービスと、前記第１スロットよりも長い時間長の第２スロット単位の第２無線リソースで第２データがスケジューリングされる第２サービスとが混在した無線フレーム構造で無線通信することが可能である。受信装置２０は、第２サービスのデータがマッピングされた第２無線リソースにおける第１領域の送信電力が変更されて送信装置１０から送信された無線信号を受信し得る。
【００２７】
図２は、実施例１に係る無線通信システム１の無線フレーム構造における第１スロットと第２スロットとの配置の一例を示す図である。図２に示される例では、縦方向に周波数軸が配置され、横方向に時間軸が配置される。例えば、図２において、周波数軸方向に並べられた１２個のサブキャリア（ｋ［０］〜ｋ［１１］）により第１リソースブロック（ＲＢ［０］）が構成され、さらなる１２個のサブキャリア（ｋ［１２］〜ｋ［２３］）により第２リソースブロック（ＲＢ［１］）が構成される。図２の時間軸方向には、１４個のシンボル（ｓ［０］〜ｓ［１３］）が並べられている。
【００２８】
図２に示される例では、第１スロットは、２個のシンボル（ｓ［９］〜ｓ［１０］）で構成される。図２の第１スロットにおいて、第１サービスの送信データ（第１データとも称され得る）が第２リソースブロック（ＲＢ［１］）にマッピングされる。説明の便宜上、第１スロットにおける第２リソースブロックを、第１無線リソース（Ａ１０）とも称する。なお、第１無線リソース（Ａ１０）は、第１サービスの送信データをマッピング可能な無線リソースの一例であり、必ずしも、第１サービスの送信データが実際にマッピングされているとは限らない。
【００２９】
図２に示される例では、第２スロットは、１４個のシンボル（ｓ［０］〜ｓ［１３］）で構成される。図２の第２スロットにおいて、第２サービスの送信データが第１リソースブロック（ＲＢ［０］）にマッピングされている。説明の便宜上、第１スロットにおける第１リソースブロックを、第２無線リソース（Ａ２０）とも称する。
【００３０】
図２に例示されるように、第２スロットの第２無線リソースには、第１サービスのデータをマッピング可能な第１無線リソースと時間軸方向で重複する範囲（第１領域とも称され得る）（Ａ２１）が存在する。
【００３１】
従来の無線通信システムでは、送信電力制御が、一律の時間単位（例えばスロット単位、または一以上のスロットで構成されるサブフレーム単位）で実行されていた。そのため、従来の無線通信システムは、図２に示される例において、第２スロット単位で送信データがマッピングされた第２無線リソース（Ａ２０）の途中で、送信電力を変更することはできない。その結果、従来の無線通信システムでは、スケジューリングの時間単位が異なる複数の無線リソースが時間軸方向で重複する第１領域において、総送信電力が最大送信電力値を超過し得る。
【００３２】
実施例１に係る送信装置１０は、第２無線リソースにおいて第１領域が存在する場合、第２無線リソースにおける第１領域の送信電力を変更することで、総送信電力が最大送信電力値を超過することを抑制し得る。ここで、第１領域は、第２スロット単位で送信データ（第２データ）が割当てられた第２無線リソースにおいて、異なる時間単位のスケジューリングにより送信データ（第１データ）が割当てられた第１無線リソースと時間軸方向で重複する範囲の一例である。
【００３３】
図３は、実施例１に係る無線通信システム１の送信装置１０における処理の流れの一例を示す図である。図３に例示される処理の流れは、任意のタイミングで実行されてもよい。例えば、送信装置１０において、第２スロット単位でスケジューリングされた第２無線リソースと時間軸上で重複する範囲（第１領域）で、第２スロットとは異なる時間単位である第１スロット単位でスケジューリングされた第１無線リソースの割当てが行われたことを契機として、図３に例示される処理が実行されてもよい。
【００３４】
送信装置１０は、第１領域における総送信電力ＴＰを算出する（Ｓ１０１）。Ｓ１０１において、送信装置１０は、例えば、第１領域における第２無線リソースと第１無線リソースとの送信電力の総和である総送信電力ＴＰを、シンボル単位に算出してもよい。
【００３５】
Ｓ１０１の具体例の一つについて、図２に示される例で説明する。図２において、第１領域における第１無線リソースは、時間軸方向に２個のシンボル（Ｓ［９］、ｓ［１０］）、周波数軸方向に１２個のサブキャリア（ｋ［１２］〜ｋ［２３］）を含む。別言すると、第１領域における第１無線リソースは、１シンボルあたり１２個のリソースエレメント（ＲＥとも称され得る）により構成され、合計２４個のリソースエレメントを含む。また、第１領域における第２無線リソースは、時間軸方向に２個のシンボル（Ｓ［９］、ｓ［１０］）、周波数軸方向に１２個のサブキャリア（ｋ［０］〜ｋ［１１］）を含む。別言すると、第１領域における第２無線リソースは、１シンボルあたり１２個のリソースエレメントにより構成され、合計２４個のリソースエレメントを含む。したがって、図２において、第１領域における第１無線リソース及び第２無線リソースのシンボル単位の総送信電力ＴＰは、２４個のリソースエレメントの各々の送信電力の合計で表現され得る。別言すると、送信装置１０は、Ｓ１０１において、第１領域に含まれる第１無線リソースと第２無線リソースとのリソースエレメント単位の送信電力を合計することで、総送信電力ＴＰを取得してもよい。なお、総送信電力ＴＰは、シンボル単位に算出されたものであってもよいし、第１領域に含まれる全シンボルにおけるリソースエレメント（図２の例では４８個のリソースエレメント）の送信電力の合計であってもよい。
【００３６】
図３の説明に戻る。送信装置１０は、総送信電力ＴＰが所定値（閾値、最大送信電力値とも称され得る）を超えるかを判定する（Ｓ１０２）。Ｓ１０２において、総送信電力ＴＰが最大送信電力値を超えると判定した場合（Ｓ１０２でＹＥＳ）、送信装置１０は、第１領域における送信電力の配分を調整する（Ｓ１０３）。一方、Ｓ１０２において、送信電力ＴＰが最大送信電力値を超えないと判定した場合（Ｓ１０２でＮＯ）、送信装置１０は、Ｓ１０３を実行せずに処理を終了してもよい。
【００３７】
図４は、実施例１に係る無線通信システム１の無線フレーム構造における第１無線リソースと第２無線リソースとの送信電力配分の一例を示す図である。図４では、縦方向に送信電力軸が配置され、横方向に時間軸が配置され、奥行き方向に周波数軸が配置される。別言すると、図４は、図２に示される例において、送信電力軸を追加したものである。例えば、両図で対応する部分には、同様の参照符号が付されている。
【００３８】
図４では、第１スロット単位でスケジューリングされた第１サービスの送信電力がマッピングされた第１無線リソース（Ａ１０）に対して、第１の送信電力（Ｐ１０）が割当てられている。さらに、図４において、第２スロット単位でスケジューリングされた第２サービスの送信電力がマッピングされた第２無線リソース（Ａ２０）は、第２の送信電力（Ｐ２０−１、Ｐ２０−２）が割当てられた部分（Ａ２０−１、Ａ２０−２）と、第３の送信電力（Ｐ２１）が割当てられた部分（Ａ２１）とを有する。第３の送信電力（Ｐ２１）は、図４に例示されるように、第２の送信電力（Ｐ２０−１、Ｐ２０−２）よりも低い送信電力であってもよい。なお、第３の送信電力（Ｐ２１）が割当てられた部分（Ａ２１）は、第１領域に相当する。
【００３９】
図４に例示される第３の送信電力（Ｐ２１）は、図３に例示される処理の流れにおけるＳ１０３により、第１領域における送信電力の配分が調整された結果の一例である。第１領域における総送信電力ＴＰは、第１無線リソース（Ａ１０）の第１の送信電力（Ｐ１０）と、第１領域における第２無線リソース（Ａ２１）の第３の送信電力（Ｐ２１）との総和に基づいて決定される。そのため、図４に例示される様に、第１領域における第２無線リソースの送信電力を低減することで、第１領域における総送信電力が最大送信電力値を超過することを抑制し得る。
【００４０】
以上が、実施例１に係る無線通信システム１の具体例の一つである。
【００４１】
以上に開示される実施例１の一側面によれば、スケジューリングの時間単位が異なる複数の無線リソースが時間軸方向で重複する第１領域の総送信電力が調整される。これにより、複数の異なる時間単位のスケジューリングが混在する無線フレームにおいて、総送信電力が最大送信電力値を超過することを抑制し得る。その結果、複数の異なる時間単位のスケジューリングが混在する無線フレーム構造を許容する無線通信システムにおいて、適切に無線通信を行うことができるようになる。このような作用は、５Ｇシステムにおいて、ｅＭＢＢ、ＵＲＬＬＣ、ｍＭＴＣなどの多様な無線サービスを実現するうえで有用である。
【００４２】
＜実施例２＞  実施例２では、複数の異なる時間単位のスケジューリングが混在する無線フレームを許容する無線通信システム１の更なる例が示される。実施例２に係る無線通信システム１の一側面によれば、送信装置１０は、第２サービス（第２論理チャネル、第２論理チャネル番号、第２区分、第２バッファ、第２送信バッファとも称され得る）に関連付けられたデータ（第２データとも称され得る）がマッピングされた第２無線リソースの第１領域に、既知信号（第２既知信号とも称され得る）を挿入する。実施例２に係る無線通信システム１の一側面によれば、受信装置２０は、第２サービスの第２データがマッピングされた第２無線リソースの第１領域から第２既知信号を抽出し、第２既知信号に基づき第１領域における第２無線リソースの部分をデコード等（復調、復号とも称され得る）する。実施例２の一側面によれば、複数の異なる時間単位のスケジューリングが混在する無線フレーム構造において、より適切に無線通信を行うことができる。なお、本開示において、用語「デコード」は、復調乃至復号に関する処理を総称したものであり、例えば、復調、復号、抽出、変換などという用語に読み替えられても良い。
【００４３】
図５は、実施例２に係る無線通信システム１の無線フレーム構造における既知信号の配置の一例を示す図である。図５において、１無線フレームは１０ｍｓ（ミリ秒）の時間長を有し、１０個のサブフレームで構成される。
【００４４】
１サブフレームは、１ｍｓの時間長を有し、サブキャリア時間間隔（ＳＣＳ（SubCarrier Spacing））（Ｎｕｍｅｒｏｌｏｇｙとも称され得る）などの設定に応じて内部構造が異なり得る。例えば、５Ｇシステムの標準化に関する議論では、ＳＣＳが１５ｋＨｚの１サブフレームは１スロット（１個のスロット）で構成され、ＳＣＳが３０ｋＨｚの１サブフレームは２スロット（２個のスロット）で構成され、ＳＣＳが６０ｋＨｚの１サブフレームは４スロット（４個のスロット）で構成され、ＳＣＳが１２０ｋＨｚの１サブフレームは８スロット（８個のスロット）で構成され、ＳＣＳが２４０ｋＨｚの１サブフレームは１６スロット（１６個のスロット）で構成されることが検討されている。
【００４５】
図５に例示される１サブフレームは、１個のスロット（ｓｌｏｔ［０］）で構成されている。別言すると、上述の５Ｇシステムの標準化に関する議論の動向によれば、図５に例示される無線フレーム構造は、サブキャリア間隔が１５ｋＨｚであってもよい。
【００４６】
図５に例示されるスロット（ｓｌｏｔ［０］）は、第２スロットの一例であり、例えば１４シンボル（ｓ［０］〜ｓ［１３］）により構成される。図５に例示される第２スロットの１４シンボル（ｓ［０］〜ｓ［１３］）には、周波数軸方向において第１リソースブロック（ＲＢ［０］）の無線リソース（第２無線リソースとも称され得る）が割当てられる。ここで、第２無線リソースは、第２スロット単位でスケジューリングされる第２サービスの送信データ（第２データとも称され得る）がマッピングされ得る無線リソースである。
【００４７】
５Ｇシステムの標準化に関する議論の動向によれば、第２スロットの先頭から３番目又は４番目のシンボル（s[2],s[3]）の何れかに、復調用の既知信号（ＤＭ−ＲＳ（DeModulation-Reference Signal）、第１既知信号とも称され得る）が配置される。例えば、TS38.211§6.4.1.1.3  Mapping to physical resource によれば、PUSCH mapping type Aの場合、スロットの先頭から３番目又は４番目のシンボル（s[2],s[3]）の何れかに、第１既知信号（ＤＭ−ＲＳ）が配置される。また、TS38.211§7.4.1.1.2 Mapping to physical resources によれば、PDSCH mapping type Aの場合、スロットの先頭から３番目又は４番目のシンボル（s[2],s[3]）の何れかに、第１既知信号（ＤＭ−ＲＳ）が配置される。第１既知信号（ＤＭ−ＲＳ）の送信電力は、例えば、第２スロットに含まれるリソースエレメントに割当てられる送信電力に基づいて決定されてもよい。また、上りリンクの第１既知信号（ＤＭ−ＲＳ）の信号系列は、例えば、TS38.211§6.4.1.1.1 Sequence generation に詳しい。下りリンクの第１既知信号（ＤＭ−ＲＳ）の信号系列は、例えば、TS38.211§7.4.1.1.1 Sequence generation に詳しい。なお、既知信号は、後述のように、パイロット信号と称されてもよい。
【００４８】
図５に示される例では、図２と同様に、第２スロットの先頭から１０番目と１１番目のシンボル（s[9],s[10]）は、第２スロットとは時間単位の異なるスケジューリングによる第１スロットと時間軸方向で重複する範囲である第１領域に含まれる。実施例２に係る無線通信システム１では、第１領域に含まれるシンボルの一部又は全部に、新たな既知信号（Ｅ−ＤＭ−ＲＳ（Enhanced-DeModulation-Reference Signal）、第２既知信号とも称され得る）が挿入される。ここで、第１領域は、第２スロット単位でスケジューリングされる第２無線リソースと、第１スロット単位でスケジューリングされる第１無線リソースとが、時間軸方向において重複する範囲の一例である。第１無線リソースは、第１スロット単位でスケジューリングされる第１サービスの送信データ（第１データとも称され得る）がマッピングされ得る無線リソースである。第２無線リソースは、第２スロット単位でスケジューリングされる第２サービスの送信データ（第２データとも称され得る）がマッピングされ得る無線リソースである。なお、第２既知信号（Ｅ−ＤＭ−ＲＳ）という名称は、説明の便宜上、本開示において用いられる造語であり、５Ｇシステムの標準規格等では他の名称（例えば、ＤＭ−ＲＳ（DeModulation-Reference Signal）、ｅＤＭ−ＲＳ（extended DeModulation-Reference Signal）、ＵＥ−Ｓｐｅｃｉｆｉｃ−ＲＳ（User Equipment-Specific-Reference Signal）、Ｃｅｌｌ−Ｓｐｅｃｉｆｉｃ−ＲＳ（Cell-Specific-Reference Signal）、ＲＳ（Reference Signal）、ＰＳ（Pilot Signal）、PT-RS (Phase-Tracking Reference Signal) など）が用いられるかもしれないことに留意されたい。
【００４９】
第１領域のシンボルに挿入される第２既知信号（Ｅ−ＤＭ−ＲＳ）の信号系列は、第１領域外のシンボルに配置される第１既知信号（ＤＭ−ＲＳ）と同じでもよいし、異なってもよい。第１領域のシンボルに挿入される第２既知信号（Ｅ−ＤＭ−ＲＳ）に割当てる送信電力は、第１領域外のシンボルに配置される第１既知信号（ＤＭ−ＲＳ）と同じでもよいし、異なってもよい。また、第１領域のシンボルに挿入される第２既知信号（Ｅ−ＤＭ−ＲＳ）に割当てる送信電力は、第１領域に含まれるリソースエレメントに割当てられる送信電力に基づいて決定されてもよい。例えば、第２既知信号に割り当てる送信電力と第１領域に含まれるリソースエレメントに割り当てる送信電力が同じになるようにする、あるいは、両者の比が既定値（送信装置と受信装置の間で既知の値）になるようにしてもよい。
【００５０】
図６は、実施例２に係る無線通信システム１の送信装置１０における処理の流れの一例を示す図である。図６に例示される処理の流れは、任意のタイミングで実行されてもよい。例えば、送信装置１０において、第２スロット単位で第２無線リソースがスケジューリングされたことを契機として、図６に例示される処理が実行されてもよい。
【００５１】
送信装置１０は、第２スロット単位でスケジューリングされる第２無線リソースに第２サービスの送信データ（第２データとも称され得る）をマッピングし（Ｓ２０１）、さらに第２無線リソースの一部に所定の信号系列を有する既知信号（第１既知信号とも称され得る）を配置する（Ｓ２０２）。Ｓ２０２において、第１既知信号は、例えば、受信装置２０において第２無線リソースから第２データをデコード（復号、復調と称されてもよい）する際に用いられ得る復調用参照信号（ＤＭ−ＲＳ（DeModulation - Reference Signal）であってもよい。送信装置１０は、Ｓ２０１の処理と、Ｓ２０２の処理とを任意の順序で実行してもよい。例えば、送信装置１０は、Ｓ２０２の処理を実行した後に、Ｓ２０１の処理を実行するように構成されてもよい。
【００５２】
送信装置１０は、第２無線リソースと時間軸方向で重複する第１無線リソースがあるかを判定する（Ｓ２０３）。例えば、送信装置１０は、第２無線リソースと時間軸方向で重複する範囲である第１領域において、第２スロットとは異なる時間単位である第１スロット単位でスケジューリングされた第１無線リソースの割当てがあった場合に、第１領域において第１無線リソースがあると判定（Ｓ２０３でＹＥＳ）してもよい。また例えば、送信装置１０は、第２無線リソースと時間軸方向で重複する第１領域において、第１スロット単位で第１無線リソースが予約されている場合に、第１領域において第１無線リソースがあると判定（Ｓ２０３でＹＥＳ）してもよい。また例えば、第２無線リソースと時間軸方向で重複する範囲である第１領域において、第２スロットとは異なる時間単位である第１スロット単位でスケジューリングされた第１無線リソースの割当てがなく、かつ、第１領域において第１無線リソースが予約されていない場合、送信装置１０は、第１領域において第１無線リソースがないと判定（Ｓ２０３でＮＯ）してもよい。
【００５３】
第２無線リソースと時間軸方向で重複する第１領域において第１無線リソースがあると判定した場合（Ｓ２０３でＹＥＳ）、送信装置１０は、第１領域に含まれる第２無線リソースの少なくとも一部をパンクチャリングする（Ｓ２０４）。Ｓ２０４において、送信装置１０は、第１領域に含まれるシンボルの個数等に応じて、パンクチャリングの量や位置を変更してもよい。例えば、第１領域に含まれるシンボルの個数に比例して、パンクチャリングの量を増加させてもよい。例えば、第２無線リソースの無線品質に応じて、パンクチャリングの位置を変更してもよい。ここで、第２無線リソースの無線品質は、例えば、第２無線リソースにマッピングされる第２データに適用される変調方式に代替してもよい。一般的に、１シンボルに載せられる情報量が多い変調方式が適用されるほど、無線品質が良好であるかもしれない。
【００５４】
送信装置１０は、第１領域に含まれる第２無線リソースにおいてパンクチャリングした箇所に、第２既知信号（Ｅ−ＤＭ−ＲＳ）を挿入する（Ｓ２０５）。Ｓ２０５において、送信装置１０は、上りリンクの場合、例えば、TS38.211§6.4.1.1.1 Sequence generation に示される手順に従って、第２既知信号（Ｅ−ＤＭ−ＲＳ）の信号系列を生成してもよい。Ｓ２０５において、送信装置１０は、下りリンクの場合、例えば、TS38.211§7.4.1.1.1 Sequence generation に示される手順に従って、第２既知信号（Ｅ−ＤＭ−ＲＳ）の信号系列を生成してもよい。
【００５５】
一方、第２無線リソースと時間軸方向で重複する第１領域において第１無線リソースがないと判定した場合（Ｓ２０３でＮＯ）、上述のＳ２０４乃至Ｓ２０５の処理を実行せずにスキップしてもよい。
【００５６】
以上が、図６に例示される、実施例２に係る無線通信システム１の送信装置１０における処理の流れの一例である。なお、図６に例示される処理の流れに、図３に例示される処理の流れを組み合わせてもよい。例えば、Ｓ２０３でＹＥＳと判定した後の任意のタイミングで、図３に例示されるＳ１０１乃至Ｓ１０３の処理を実行してもよい。
【００５７】
図７は、実施例２に係る無線通信システム１の無線フレーム構造における第１無線リソースと第２無線リソースとの送信電力配分と既知信号の配置の一例を示す図である。図７では、縦方向に送信電力軸が配置され、横方向に時間軸が配置され、奥行き方向に周波数軸が配置される。別言すると、図７に示される例は、図５において、送信電力軸と周波数軸とを追加したものである。
【００５８】
図７では、第１スロット単位でスケジューリングされた第１サービスの送信データ（第１データ）がマッピングされた第１無線リソース（Ａ１０）に対して、第１の送信電力（Ｐ１０）が割当てられている。さらに、図７において、第２スロット単位でスケジューリングされた第２サービスの送信データ（第２データ）がマッピングされた第２無線リソース（Ａ２０）は、第２の送信電力（Ｐ２０−１、Ｐ２０−２）が割当てられた部分（Ａ２０−１、Ａ２０−２）と、第３の送信電力（Ｐ２１）が割当てられた部分（Ａ２１）とを有する。第３の送信電力（Ｐ２１）は、図７に例示されるように、第２の送信電力（Ｐ２０−１、Ｐ２０−２）よりも低い送信電力であってもよい。図７に例示される第３の送信電力（Ｐ２１）は、例えば図３に示される実施例１に係る送信装置１０における処理の流れにおけるＳ１０３により、第１領域における送信電力の配分が調整された結果の一例である。第１領域における総送信電力ＴＰは、第１無線リソース（Ａ１０）の第１の送信電力（Ｐ１０）と、第１領域における第２無線リソース（Ａ２１）の第３の送信電力（Ｐ２１）との総和に基づいて決定されてもよい。図７に例示されるように、第１領域における第２無線リソースの送信電力を低減することで、第１領域における総送信電力が最大送信電力値を超過することを抑制し得る。
【００５９】
図７では、第２スロットよりも短い第１スロット単位でスケジューリングされた第１無線リソース（Ａ１０）の一部に、既知信号（Ａ１０−１）が配置される。例えば、TS38.211§6.4.1.1.3  Mapping to physical resource によれば、PUSCH mapping type Bの場合、スロットの先頭から１番目のシンボル（図５におけるｓ［９］に相当）に、第１無線リソース（Ａ１０）における既知信号（Ａ１０−１）が配置され得る。また、TS38.211§7.4.1.1.2 Mapping to physical resources によれば、PDSCH mapping type Bの場合、スロットの先頭から１番目のシンボル（図５におけるｓ［９］に相当）に、第１無線リソース（Ａ１０）における既知信号（Ａ１０−１）が配置される。第１無線リソース（Ａ１０）に配置される既知信号（Ａ１０−１）の送信電力は、例えば、第１無線リソース（Ａ１０）に割当てられる送信電力に基づいて決定されてもよい。また、上りリンクの既知信号（Ａ１０−１）の信号系列は、例えば、TS38.211§6.4.1.1.1 Sequence generation に詳しい。下りリンクの既知信号（Ａ１０−１）の信号系列は、例えば、TS38.211§7.4.1.1.1 Sequence generation に詳しい。
【００６０】
図７では、第１スロットよりも長い第２スロット単位でスケジューリングされた第２無線リソース（Ａ２０）において、既知信号（Ａ２０−３）（第１既知信号とも称され得る）が配置される。例えば、TS38.211§6.4.1.1.3  Mapping to physical resource によれば、PUSCH mapping type Aの場合、スロットの先頭から３番目又は４番目のシンボル（s[2],s[3]）の何れかに、第１既知信号（Ａ２０−３）が配置され得る。また、TS38.211§7.4.1.1.2 Mapping to physical resources によれば、PDSCH mapping type Aの場合、スロットの先頭から３番目又は４番目のシンボル（s[2],s[3]）の何れかに、第１既知信号（Ａ２０−３）が配置され得る。第２無線リソース（Ａ２０）に配置される第１既知信号（Ａ２０−３）の送信電力は、例えば、第２無線リソース（Ａ２０）に割当てられる送信電力（Ｐ２０−１、Ｐ２０−２）に基づいて決定されてもよい。
【００６１】
図７では、第２スロット単位でスケジューリングされた第２無線リソース（Ａ２０）のうち、第３の送信電力（Ｐ２１）が割当てられた部分（Ａ２１）において、第２既知信号（Ｅ−ＤＭ−ＲＳとも称され得る）（Ａ２１−１）が挿入される。第２既知信号（Ａ２１−１）の送信電力は、第２無線リソース（Ａ２０）における第１領域に相当する部分（Ａ２１）に割当てられる第３の送信電力（Ｐ２１）に基づいて決定されてもよい。例えば、第２既知信号（Ａ２１−１）の送信電力と第３の送信電力（Ｐ２１）を同じに、あるいは、両者の比を既定値（送信装置と受信装置の間で既知の値）にしてもよい。
【００６２】
図８は、実施例２に係る無線通信システム１の受信装置２０における処理の流れの一例を示す図である。図８に例示される処理の流れは、任意のタイミングで実行されてもよい。例えば、受信装置２０において、第１スロットよりも長い第２スロット単位でスケジューリングされた第２無線リソースに相当する無線信号が受信されたことを契機として、図８に例示される処理が実行されてもよい。
【００６３】
受信装置２０は、第２無線リソースから第１既知信号を抽出し（Ｓ３０１）、抽出された第１既知信号に基づいて第２無線リソースをデコードする（Ｓ３０２）。Ｓ３０２において、受信装置２０は、第２無線リソースが第２既知信号を含むか否かを判別できないかもしれない。別言すると、第２無線リソースが第２既知信号を含む場合、Ｓ３０２において、受信装置２０は、第２既知信号が配置されたリソースエレメントから、第２無線リソースにマッピングされた第２サービスの送信データ（第２データとも称され得る）をデコードしようとするかも知れない。その場合、受信装置２０は、第２無線リソースにマッピングされた第２データのデコードに失敗し得る。
【００６４】
受信装置２０は、第２無線リソースと時間軸方向で重複する範囲（第１領域とも称され得る）において、第１無線リソースがあるかを判定する（Ｓ３０３）。Ｓ３０３において、受信装置２０は、第１領域に含まれる第１無線リソースにより第１サービスのデータ（第１データとも称され得る）を受信したかを判定してもよい。例えば、受信装置２０は、第２スロットよりも短い第１スロット単位でスケジューリングされた第１無線リソースにマッピングされたかも知れない第１サービスのデータ（第１データ）のデコードを試みてもよい。その結果、第１データのデコードに成功した場合、受信装置２０は、第１領域において第１無線リソースがあると判定してもよい（Ｓ３０３でＹＥＳ）。一方、第１データのデコードに失敗した場合、受信装置２０は、第１領域において第１無線リソースがないと判定してもよい（Ｓ３０３でＮＯ）。
【００６５】
受信装置２０は、第１領域において第１無線リソースがないと判定した場合（Ｓ３０３でＮＯ）、第１既知信号に基づく第２無線リソースのデコード結果（Ｓ３０２の結果）を、第２無線リソースのデコード結果として、図８に例示される処理を終了してもよい。
【００６６】
一方、受信装置２０は、第１領域において第１無線リソースがあると判定した場合（Ｓ３０３でＹＥＳ）、第２無線リソースのうち第１領域に含まれる部分から、第２既知信号を抽出する（Ｓ３０４）。第１領域は、例えば、第１無線リソースと第２無線リソースとが時間軸方向で重複する範囲であってもよい。Ｓ３０４において、受信装置２０は、第１領域に含まれるシンボルの個数等に応じて、第２既知信号の配置（個数、位置）を特定してもよい。例えば、第１領域に含まれるシンボルの個数に比例して、第２既知信号の個数が増加するような配置であってもよい。例えば、第２無線リソースの無線品質に応じて、第２既知信号の位置、及び／又は、第２既知信号の個数が異なるような配置であってもよい。ここで、第２無線リソースの無線品質は、例えば、第２無線リソースにマッピングされる第２データに適用される変調方式に代替してもよい。一般的に、１シンボルに載せられる情報量が多い変調方式が適用されるほど、無線品質が良好であるかもしれない。
【００６７】
受信装置２０は、第２無線リソースのうち第１領域に含まれる部分を、抽出された第２既知信号に基づいてデコードする（Ｓ３０５）。Ｓ３０５において、受信装置２０は、第１領域に含まれる第２無線リソースのうち、第２既知信号に相当する部分を、デコード対象から除外し得る。そして、受信装置２０は、第１既知信号に基づくデコード結果（Ｓ３０２の結果）と、第２既知信号に基づくデコード結果（Ｓ３０５の結果）とを統合する（Ｓ３０６）。これにより、受信装置２０は、第２既知信号が配置されたリソースエレメントから、第２無線リソースにマッピングされた第２サービスの送信データ（第２データとも称され得る）をデコードしようとすることが避けられる。その結果、受信装置２０は、第２無線リソースのデコードに成功し得る。
【００６８】
また、第１領域における第２無線リソースの送信電力が低減された場合、第１領域における送信電力の低減が実行される前の送信電力に基づいて配置された第１既知信号を用いたのでは、受信装置２０は、第１領域における第２無線リソースのデコードに失敗し得る。この様な事象は、第２無線リソースに適用される変調方式が直交振幅変調の場合に顕著である。直交振幅変調方式では、信号の位相と振幅との組合せに対して所定のビット列を示す信号点が割当てられるため、送信電力が変更されることで適切に信号点を特定することが困難になり得る。この様な場合でも、第１領域に挿入された第２既知信号により、受信装置２０は、第１領域の第２無線リソースに割り当てられた送信電力の基準を知得することができるため、送信電力が低減された第１領域の第２無線リソースを適切にデコードすることができる。
【００６９】
以上が、図８に例示される、実施例２に係る無線通信システム１の受信装置２０における処理の流れの一例である。
【００７０】
図９は、実施例２に係る無線通信システムの無線フレーム構造における第１無線リソースと第２無線リソースとの送信電力配分と既知信号の配置の更なる一例を示す図である。図９では、縦方向に送信電力軸が配置され、横方向に時間軸が配置され、奥行き方向に周波数軸が配置される。別言すると、図９は、図５に示される例において、送信電力軸と周波数軸とを追加したものである。
【００７１】
図９では、第１スロット単位でスケジューリングされる第１サービスのデータ用に第１無線リソース（Ａ１０）が予約されているが、第１無線リソース（Ａ１０）に対してデータがマッピングされていない状態が示される。
【００７２】
一方、第２スロット単位でスケジューリングされた第２サービスのデータがマッピングされた第２無線リソース（Ａ２０）は、第２スロットの範囲において、第２の送信電力（Ｐ２０−１）が割当てられている。別言すると、図９に例示される第２無線リソース（Ａ２０）は、第１領域よりも前の部分（Ａ２０−１）も、第１領域の部分（Ａ２１）も、第１領域よりも後の部分（Ａ２０−２）も、第２の送信電力（Ｐ２０−１）が割当てられる。
【００７３】
図９では、第１スロットよりも長い第２スロット単位でスケジューリングされた第２無線リソース（Ａ２０）において、第１既知信号（Ａ２０−３）が配置される。例えば、TS38.211§6.4.1.1.3  Mapping to physical resource によれば、PUSCH mapping type Aの場合、スロットの先頭から３番目又は４番目のシンボル（s[2],s[3]）の何れかに、第１既知信号（Ａ２０−３）が配置され得る。また、TS38.211§7.4.1.1.2 Mapping to physical resources によれば、PDSCH mapping type Aの場合、スロットの先頭から３番目又は４番目のシンボル（s[2],s[3]）の何れかに、第１既知信号（Ａ２０−３）が配置され得る。第２無線リソース（Ａ２０）に配置される第１既知信号（Ａ２０−３）の送信電力は、例えば、第２無線リソース（Ａ２０）に割当てられる送信電力（Ｐ２０−１）に基づいて決定されてもよい。
【００７４】
図９では、第２スロット単位でスケジューリングされた第２無線リソース（Ａ２０）のうち、第３の送信電力（Ｐ２１）が割当てられた部分（Ａ２１）において、第２既知信号（Ｅ−ＤＭ−ＲＳとも称され得る）（Ａ２１−１）が挿入される。第２既知信号（Ａ２１−１）の送信電力は、例えば、第２無線リソース（Ａ２０）における第１領域に相当する部分（Ａ２１）に割当てられる第２の送信電力（Ｐ２０−１）に基づいて決定されてもよい。この場合、第２既知信号（Ａ２１−１）の送信電力は、第１既知信号（Ａ２０−３）に割当てられる送信電力と同じであってもよい。
【００７５】
図１０は、実施例２に係る無線通信ステムの受信装置における処理の流れの更なる一例を示す図である。図１０に例示される処理の流れは、任意のタイミングで実行されてもよい。例えば、受信装置２０において、第１スロットよりも長い第２スロット単位でスケジューリングされた第２無線リソースに相当する無線信号が受信されたことを契機として、図１０に例示される処理が実行されてもよい。なお、図１０において、図８と同様の部分には、同じ参照符号を付している。
【００７６】
受信装置２０は、第２無線リソースから第１既知信号を抽出し（Ｓ３０１）、抽出された第１既知信号に基づいて第２無線リソースをデコードする（Ｓ３０２）。Ｓ３０２において、受信装置２０は、第２無線リソースが第２既知信号を含むか否かを判別できないかもしれない。別言すると、第２無線リソースが第２既知信号を含む場合、Ｓ３０２において、受信装置２０は、第２既知信号が配置されたリソースエレメントから、第２無線リソースにマッピングされた第２サービスの送信データ（第２データとも称され得る）をデコードしようとするかも知れない。その場合、図８に示される例と同様に、受信装置２０は、第２無線リソースにマッピングされた第２データのデコードに失敗し得る。
【００７７】
受信装置２０は、第２無線リソースと重複する時間範囲（第１領域とも称され得る）において第１無線リソースが予約されているかを判定する（Ｓ３０３Ａ）。Ｓ３０３Ａにおいて、受信装置２０は、第２無線リソースと時間軸方向で重複する時間範囲において第１無線リソースが予約されている場合、Ｓ３０３ＡでＹＥＳと判定してもよい。一方、受信装置２０は、第２無線リソースと時間軸方向に重複する時間範囲において第１無線リソースが予約されていない場合、Ｓ３０３ＡでＮＯと判定してもよい。Ｓ３０３Ａにおいて、受信装置２０は、第２無線リソースと時間軸方向で重複する第１無線リソースのデコード結果を待たずに、第２無線リソースのデコードを完了させることができる。そのため、受信装置２０は、図１０に例示される処理を、図８に例示される処理よりも早く完了し得る。なお、図１０におけるＳ３０３Ａは、図８におけるＳ３０３の判定処理の一例である。別言すると、図１０におけるＳ３０３Ａは、第２無線リソースと時間軸方向で重複する時間範囲（第１領域）において第１無線リソースが予約されているかを判定することで、第１領域において第１無線リソースがあるかを判定する。
【００７８】
受信装置２０は、第１領域において第１無線リソースが予約されていないと判定した場合（Ｓ３０３ＡでＮＯ）、第１既知信号に基づく第２無線リソースのデコード結果（Ｓ３０２の結果）を、第２無線リソースのデコード結果として、図１０に例示される処理を終了してもよい。
【００７９】
受信装置２０は、第２無線リソースと重複する時間範囲において第１無線リソースが予約されていると判定した場合（Ｓ３０３ＡでＹＥＳ）、第２無線リソースのうち第１領域に含まれる部分から、第２既知信号を抽出する（Ｓ３０４）。第１領域は、例えば、第１無線リソースと第２無線リソースとが時間軸方向で重複する範囲であってもよい。Ｓ３０４において、受信装置２０は、第１領域に含まれるシンボルの個数等に応じて、第２既知信号の配置（個数、位置）を特定してもよい。例えば、第１領域に含まれるシンボルの個数に比例して、第２既知信号の個数が増加するような配置であってもよい。例えば、第２無線リソースの無線品質に応じて、第２既知信号の位置、及び／又は、第２既知信号の個数が異なるような配置であってもよい。ここで、第２無線リソースの無線品質は、例えば、第２無線リソースにマッピングされる第２データに適用される変調方式に代替してもよい。一般的に、１シンボルに載せられる情報量が多い変調方式が適用されるほど、無線品質が良好であるかもしれない。
【００８０】
受信装置２０は、第２無線リソースのうち第１領域に含まれる部分を、抽出された第２既知信号に基づいてデコードする（Ｓ３０５）。Ｓ３０５において、受信装置２０は、第１領域に含まれる第２無線リソースのうち、第２既知信号に相当する部分を、デコード対象から除外し得る。そして、受信装置２０は、第１既知信号に基づくデコード結果（Ｓ３０２の結果）と、第２既知信号に基づくデコード結果（Ｓ３０５の結果）とを統合する（Ｓ３０６）。これにより、受信装置２０は、第２既知信号が配置されたリソースエレメントから、第２無線リソースにマッピングされた第２サービスの送信データ（第２データとも称され得る）をデコードしようとすることが避けられる。その結果、受信装置２０は、第２無線リソースのデコードに成功し得る。
【００８１】
以上が、図１０に例示される、実施例２に係る無線通信システム１の受信装置２０における処理の流れの一例である。
【００８２】
以上に開示される実施例２の一側面によれば、送信装置１０は、スケジューリングの時間単位が異なる複数の無線リソースが時間軸方向で重複する第１領域において、第２既知信号を挿入し得る。これにより、実施例２に係る送信装置１０は、複数の異なる時間単位のスケジューリングが混在する無線フレームにおいて、第１既知信号と第２既知信号とに基づいて、第２無線リソースを適切に伝送することができる。その結果、実施例２に係る無線通信システム１では、複数の異なる時間単位のスケジューリングが混在する無線フレーム構造を許容しつつ、適切に無線通信を行うことができるようになる。このような作用は、５Ｇシステムにおいて、ｅＭＢＢ、ＵＲＬＬＣ、ｍＭＴＣなどの多様な無線サービスを実現するうえで有用である。
【００８３】
以上に開示される実施例２の他の一側面によれば、受信装置２０は、スケジューリングの時間単位が異なる複数の無線リソースが時間軸方向で重複する第１領域において、第２既知信号を抽出する。これにより、実施例２に係る受信装置２０は、複数の異なる時間単位のスケジューリングが混在する無線フレームにおいて、第１既知信号と第２既知信号とに基づいて、第２無線リソースを適切にデコードすることができる。その結果、実施例２に係る無線通信システム１では、複数の異なる時間単位のスケジューリングが混在する無線フレーム構造を許容しつつ、適切に無線通信を行うことができるようになる。このような作用は、５Ｇシステムにおいて、ｅＭＢＢ、ＵＲＬＬＣ、ｍＭＴＣなどの多様な無線サービスを実現するうえで有用である。
【００８４】
＜実施例３＞  実施例３では、複数の異なる時間単位のスケジューリングが混在する無線フレームを許容する無線通信システム１が例示される。実施例３に係る無線通信システム１の一側面によれば、送信装置１０は、第２無線サービスの第２データに適用される変調方式に応じて、第２無線リソースに第２既知信号を挿入するか否かを制御する。実施例３に係る無線通信システム１の一側面によれば、受信装置２０は、第２無線サービスの第２データに適用される変調方式に応じて、第２無線リソースから第２既知信号を抽出するか否かを制御する。実施例３の一側面によれば、複数の異なる時間単位のスケジューリングが混在する無線フレーム構造において、より適切に無線通信を行うことができる。
【００８５】
図１１は、実施例３に係る無線通信システムの送信装置１０における処理の流れの一例を示す図である。図１１に例示される処理の流れは、任意のタイミングで実行されてもよい。例えば、送信装置１０において、第２スロット単位で第２無線リソースがスケジューリングされたことを契機として、図１１に例示される処理が実行されてもよい。
【００８６】
送信装置１０は、第２スロット単位でスケジューリングされる第２無線リソースに第２サービスの送信データ（第２データとも称され得る）をマッピングし（Ｓ２０１）、さらに第２無線リソースの一部に所定の信号系列を有する既知信号（第１既知信号とも称され得る）を配置する（Ｓ２０２）。Ｓ２０２において、第１既知信号は、例えば、受信装置２０において第２無線リソースから第２データをデコードする際に用いられ得る復調用参照信号（ＤＭ−ＲＳ（DeModulation - Reference Signal）であってもよい。送信装置１０は、Ｓ２０１の処理と、Ｓ２０２の処理とを任意の順序で実行してもよい。例えば、送信装置１０は、Ｓ２０２の処理を実行した後に、Ｓ２０１の処理を実行するように構成されてもよい。
【００８７】
送信装置１０は、第２無線リソースと時間軸方向で重複する時間範囲（第１領域とも称され得る）において、第１無線リソースがあるかを判定する（Ｓ２０３）。例えば、送信装置１０は、第２無線リソースと時間軸方向で重複する範囲である第１領域において、第２スロットとは異なる時間単位である第１スロット単位でスケジューリングされた第１無線リソースの割当てがあった場合に、第１領域において第１無線リソースがあると判定（Ｓ２０３でＹＥＳ）してもよい。また例えば、送信装置１０は、第２無線リソースと時間軸方向で重複する第１領域において、第１スロット単位で第１無線リソースが予約されている場合に、第１領域において第１無線リソースがあると判定（Ｓ２０３でＹＥＳ）してもよい。また例えば、第２無線リソースと時間軸方向で重複する範囲である第１領域において、第２スロットとは異なる時間単位である第１スロット単位でスケジューリングされた第１無線リソースの割当てがなく、かつ、第１領域において第１無線リソースが予約されていない場合、送信装置１０は、第１領域において第１無線リソースがないと判定（Ｓ２０３でＮＯ）してもよい。
【００８８】
第２無線リソースと時間軸方向で重複する第１領域において第１無線リソースがあると判定した場合（Ｓ２０３でＹＥＳ）、送信装置１０は、第２無線リソースに適用される変調方式が直交振幅変調（ＱＡＭ（Quadrature Amplitude Modulation）とも称され得る）であるかを判定する（Ｓ２０６Ｂ）。
【００８９】
Ｓ２０６Ｂにおいて、送信装置１０は、第２無線リソースに適用される変調方式が、例えば、１６ＱＡＭ（４ｂｉｔ／シンボル）、６４ＱＡＭ（６ｂｉｔ／シンボル）、２５６ＱＡＭ（８ｂｉｔ／シンボル）、１０２４ＱＡＭ（１０ｂｉｔ／シンボル）の何れかの場合、変調方式が直交振幅変調であると判定してもよい（Ｓ２０６ＢでＹＥＳ）。一方、Ｓ２０６Ｂにおいて、送信装置１０は、第２無線リソースに適用される変調方式が、例えば、二位相偏移変調（ＢＰＳＫ（Binary Phase Shift Keying）、２ＰＳＫ（Phase Shift Keying）とも称され得る）（１ｂｉｔ／シンボル）、四位相偏移変調（ＱＰＳＫ（Quadrature Phase Shift Keying）、４ＰＳＫとも称され得る）（２ｂｉｔ／シンボル）の何れかの場合、変調方式が直交振幅変調でないと判定してもよい（Ｓ２０６ＢでＮＯ）。なお、本開示における直交振幅変調は、位相と振幅との組合せにより、１シンボルあたり複数ビットの情報を伝送する技術の一例である。この様な変調方式は、例えば、振幅位相変調（ＡＰＳＫ（Amplitude Phase Shift Keying））と称されてもよい。
【００９０】
送信装置１０は、第２無線リソースに適用される変調方式が直交振幅変調であると判定した場合（Ｓ２０６ＢでＹＥＳ）、第１領域に含まれる第２無線リソースの少なくとも一部をパンクチャリングする（Ｓ２０４）。Ｓ２０４において、送信装置１０は、第１領域に含まれるシンボルの個数等に応じて、パンクチャリングの量や位置を変更してもよい。例えば、第１領域に含まれるシンボルの個数に比例して、パンクチャリングの量を増加させてもよい。例えば、第２無線リソースの無線品質に応じて、パンクチャリングの位置を変更してもよい。ここで、第２無線リソースの無線品質は、例えば、第２無線リソースにマッピングされる第２データに適用される変調方式に代替してもよい。一般的に、１シンボルに載せられる情報量が多い変調方式が適用されるほど、無線品質が良好であるかもしれない。
【００９１】
送信装置１０は、第１領域に含まれる第２無線リソースにおいてパンクチャリングした箇所に、第２既知信号（Ｅ−ＤＭ−ＲＳ）を挿入する（Ｓ２０５）。Ｓ２０５において、送信装置１０は、上りリンクの場合、例えば、TS38.211§6.4.1.1.1 Sequence generation に示される手順に従って、第２既知信号（Ｅ−ＤＭ−ＲＳ）の信号系列を生成してもよい。Ｓ２０５において、送信装置１０は、下りリンクの場合、例えば、TS38.211§7.4.1.1.1 Sequence generation に示される手順に従って、第２既知信号（Ｅ−ＤＭ−ＲＳ）の信号系列を生成してもよい。
【００９２】
一方、送信装置１０は、第２無線リソースに適用される変調方式が直交振幅変調でないと判定した場合（Ｓ２０６ＢでＮＯ）や、第２無線リソースと時間軸方向で重複する第１無線リソースがないと判定した場合（Ｓ２０３でＮＯ）、上述のＳ２０４乃至Ｓ２０５の処理を実行せずにスキップしてもよい。この場合、第２無線リソースの一部に第２既知信号は挿入されなくてもよい。
【００９３】
なお、送信装置１０は、上述のＳ２０３における判定と、Ｓ２０６Ｂにおける判定とを任意の順序で実行してもよい。例えば、送信装置１０は、Ｓ２０６Ｂの判定を実行した後に、Ｓ２０３の判定を実行してもよい。
【００９４】
以上が、図１１に例示される、実施例３に係る無線通信システムの送信装置１０における処理の流れの一例である。なお、図１１に例示される処理の流れに、図３に例示される処理の流れを組み合わせてもよい。例えば、Ｓ２０３でＹＥＳと判定した後の任意のタイミング、又は、Ｓ２０６ＢでＹＥＳと判定した後の任意のタイミングで、図３に例示されるＳ１０１乃至Ｓ１０３の処理を実行してもよい。
【００９５】
図１２は、実施例３に係る無線通信システムの受信装置２０における処理の流れの一例を示す図である。図１２に例示される処理の流れは、任意のタイミングで実行されてもよい。例えば、受信装置２０において、第１スロットよりも長い第２スロット単位でスケジューリングされた第２無線リソースに相当する無線信号が受信されたことを契機として、図１２に例示される処理が実行されてもよい。なお、図１２の例示において、図８又は図１０と同様の部分には、同じ参照符号を付している。
【００９６】
受信装置２０は、第２無線リソースから第１既知信号を抽出し（Ｓ３０１）、抽出された第１既知信号に基づいて第２無線リソースをデコードする（Ｓ３０２）。Ｓ３０２において、受信装置２０は、第２無線リソースが第２既知信号を含むか否かを判別できないかもしれない。別言すると、第２無線リソースが第２既知信号を含む場合、Ｓ３０２において、受信装置２０は、第２既知信号が配置されたリソースエレメントから、第２無線リソースにマッピングされた第２サービスの送信データ（第２データとも称され得る）をデコードしようとするかも知れない。その場合、図８又は図１０に示される例と同様に、受信装置２０は、第２無線リソースにマッピングされた第２データのデコードに失敗し得る。  
【００９７】
受信装置２０は、第２無線リソースと時間軸方向で重複する範囲（第１領域とも称され得る）において、第１無線リソースがあるかを判定する（Ｓ３０３）。Ｓ３０３において、受信装置２０は、第１領域に含まれる第１無線リソースにより第１サービスのデータ（第１データとも称され得る）を受信したかを判定してもよい。例えば、受信装置２０は、第２スロットよりも短い第１スロット単位でスケジューリングされた第１無線リソースにマッピングされたかも知れない第１サービスのデータ（第１データ）のデコードを試みてもよい。その結果、第１データのデコードに成功した場合、受信装置２０は、第１領域において第１無線リソースがあると判定してもよい（Ｓ３０３でＹＥＳ）。一方、第１データのデコードに失敗した場合、受信装置２０は、第１領域において第１無線リソースがないと判定してもよい（Ｓ３０３でＮＯ）。ここで、Ｓ３０３において、第１領域に含まれる第１無線リソースにより第１サービスのデータ（第１データとも称され得る）を受信したかを判定することは、第１領域において第１無線リソースがあるかを判定することの一例である。
【００９８】
また例えば、Ｓ３０３において、受信装置２０は、第２無線リソースと重複する時間範囲（第１領域とも称され得る）において第１無線リソースが予約されているかを判定してもよい。例えば、受信装置２０は、第１領域において第１無線リソースが予約されている場合、第１領域に第１無線リソースがあると判定（Ｓ３０３でＹＥＳ）してもよい。例えば、受信装置２０は、第１領域において第１無線リソースが予約されていない場合、第１領域に第１無線リソースがないと判定（Ｓ３０３でＮＯ）してもよい。ここで、Ｓ３０３において、第１領域で第１無線リソースが予約されているかを判定することは、第１領域において第１無線リソースがあるかを判定することの一例である。
【００９９】
受信装置２０は、第１領域において第１無線リソースがないと判定した場合（Ｓ３０３でＮＯ）、第１既知信号に基づく第２無線リソースのデコード結果（Ｓ３０２の結果）を、第２無線リソースのデコード結果として、図１２に例示される処理を終了してもよい。
【０１００】
受信装置２０は、第１領域において第１無線リソースがあると判定した場合（Ｓ３０３でＹＥＳ）、第２無線リソースに適用される変調方式が直交振幅変調（ＱＡＭ（Quadrature Amplitude Modulation）とも称され得る）かを判定する（Ｓ３０７Ｂ）。
【０１０１】
Ｓ３０７Ｂにおいて、受信装置２０は、第２無線リソースに適用される変調方式が、例えば、１６ＱＡＭ（４ｂｉｔ／シンボル）、６４ＱＡＭ（６ｂｉｔ／シンボル）、２５６ＱＡＭ（８ｂｉｔ／シンボル）、１０２４ＱＡＭ（１０ｂｉｔ／シンボル）の何れかの場合、変調方式が直交振幅変調であると判定してもよい（Ｓ３０７ＢでＹＥＳ）。一方、Ｓ３０７Ｂにおいて、受信装置２０は、第２無線リソースに適用される変調方式が、例えば、二位相偏移変調（ＢＰＳＫ（Binary Phase Shift Keying）、２ＰＳＫ（Phase Shift Keying）とも称され得る）（１ｂｉｔ／シンボル）、四位相偏移変調（ＱＰＳＫ（Quadrature Phase Shift Keying）、４ＰＳＫとも称され得る）（２ｂｉｔ／シンボル）の何れかの場合、変調方式が直交振幅変調でないと判定してもよい（Ｓ３０７ＢでＮＯ）。なお、本開示における直交振幅変調は、位相と振幅との組合せにより、１シンボルあたり複数ビットの情報を伝送する技術の一例である。この様な変調方式は、例えば、振幅位相変調（ＡＰＳＫ（Amplitude Phase Shift Keying））と称されてもよい。
【０１０２】
受信装置２０は、第２無線リソースに適用される変調方式が直交振幅変調であると判定した場合（Ｓ３０７ＢでＹＥＳ）、第２無線リソースのうち第１領域に含まれる部分から、第２既知信号を抽出する（Ｓ３０４）。第１領域は、例えば、第１無線リソースと第２無線リソースとが時間軸方向で重複する範囲であってもよい。Ｓ３０４において、受信装置２０は、第１領域に含まれるシンボルの個数等に応じて、第２既知信号の配置（個数、位置）を特定してもよい。例えば、第１領域に含まれるシンボルの個数に比例して、第２既知信号の個数が増加するような配置であってもよい。例えば、第２無線リソースの無線品質に応じて、第２既知信号の位置、及び／又は、第２既知信号の個数が異なるような配置であってもよい。ここで、第２無線リソースの無線品質は、例えば、第２無線リソースにマッピングされる第２データに適用される変調方式に代替してもよい。一般的に、１シンボルに載せられる情報量が多い変調方式が適用されるほど、無線品質が良好であるかもしれない。
【０１０３】
受信装置２０は、第２無線リソースのうち第１領域に含まれる部分を、抽出された第２既知信号に基づいてデコードする（Ｓ３０５）。Ｓ３０５において、受信装置２０は、第１領域に含まれる第２無線リソースのうち、第２既知信号に相当する部分を、デコード対象から除外し得る。そして、受信装置２０は、第１既知信号に基づくデコード結果（Ｓ３０２の結果）と、第２既知信号に基づくデコード結果（Ｓ３０５の結果）とを統合する（Ｓ３０６）。これにより、受信装置２０は、第２既知信号が配置されたリソースエレメントから、第２無線リソースにマッピングされた第２サービスの送信データ（第２データとも称され得る）をデコードしようとすることが避けられる。その結果、受信装置２０は、第２無線リソースのデコードに成功し得る。
【０１０４】
受信装置２０は、第２無線リソースに適用される変調方式が直交振幅変調でないと判定した場合（Ｓ３０７ＢでＮＯ）、第１既知信号に基づく第２無線リソースのデコード結果（Ｓ３０２の結果）を、第２無線リソースのデコード結果として、図１２に例示される処理を終了してもよい。この場合、第１領域の第２無線リソースには第２既知信号が挿入されていないため、第１既知信号に基づく第２無線リソースのデコード結果（Ｓ３０２の結果）が成功し得る。
【０１０５】
なお、受信装置２０は、上述のＳ３０３における判定と、Ｓ３０７Ｂにおける判定とを任意の順序で実行してもよい。例えば、受信装置２０は、Ｓ３０７Ｂの判定を実行した後に、Ｓ３０３の判定を実行してもよい。
【０１０６】
以上が、図１２に例示される、実施例３に係る無線通信システム１の受信装置２０における処理の流れの一例である。
【０１０７】
以上に開示される実施例３の一側面によれば、スケジューリングの時間単位が異なる複数の無線リソースが時間軸方向で重複する第１領域において、第２既知信号が挿入され得る。これにより、複数の異なる時間単位のスケジューリングが混在する無線フレームにおいて、第１既知信号と第２既知信号とに基づいて、第２無線リソースを適切にデコードすることができる。その結果、複数の異なる時間単位のスケジューリングが混在する無線フレーム構造を許容する無線通信システムにおいて、適切に無線通信を行うことができるようになる。このような作用は、５Ｇシステムにおいて、ｅＭＢＢ、ＵＲＬＬＣ、ｍＭＴＣなどの多様な無線サービスを実現するうえで有用である。
【０１０８】
以上に開示される実施例３の他の一側面によれば、送信装置１０は、第２無線リソースに適用される変調方式が直交振幅変調である場合、第１領域に含まれる第２無線リソースの一部に第２既知信号を挿入し得る。別言すると、実施例３に係る送信装置１０は、第２無線リソースに適用される変調方式が直交振幅変調でない場合、第１領域に含まれる第２無線リソースへの第２既知信号の挿入を省略し得る。第２無線リソースに適用される変調方式が直交振幅変調でない場合、受信装置２０は、第１領域において第２無線リソースに割り当てられた送信電力が変更されたとしても、理論的には第２無線リソースを適切に復調し得るためである。この場合、実施例３に係る送信装置１０は、第２既知信号の挿入を省略することで、第２無線リソースにマッピングできる第２サービスの送信データ（第２データ）の量を増やすことができる。そのため、実施例３に係る無線通信システム１では、無線リソースの利用効率を向上させることができる。別言すると、実施例３の他の一側面によれば、複数の異なる時間単位のスケジューリングが混在する無線フレーム構造において、適切な無線通信の運用を可能としつつ、無線リソースの利用効率を向上させることができる。このような作用は、５Ｇシステムにおいて、ｅＭＢＢ、ＵＲＬＬＣ、ｍＭＴＣなどの多様な無線サービスを実現するうえで有用である。
【０１０９】
以上に開示される実施例３の更なる他の一側面によれば、受信装置２０は、第２無線リソースに適用される変調方式が直交振幅変調である場合、第１領域に含まれる第２無線リソースから第２既知信号を抽出し得る。別言すると、実施例３に係る受信装置２０は、第２無線リソースに適用される変調方式が直交振幅変調でない場合、第１領域に含まれる第２無線リソースからの第２既知信号の抽出は省略される。実施例３に係る受信装置２０は、第２無線リソースに適用される変調方式が直交振幅変調でない場合、第１領域において第２無線リソースに割り当てられた送信電力が変更されたとしても、理論的には第２無線リソースを適切に復調し得るためである。この場合、実施例３に係る無線通信システム１において、第２無線リソースへの第２既知信号の挿入が省略されることで、第２無線リソースにマッピングできる第２サービスの送信データ（第２データ）の量が増える。そのため、実施例３に係る無線通信システム１では、無線リソースの利用効率を向上させることができる。別言すると、実施例３の他の一側面によれば、複数の異なる時間単位のスケジューリングが混在する無線フレーム構造において、適切な無線通信の運用を可能としつつ、無線リソースの利用効率を向上させることができる。このような作用は、５Ｇシステムにおいて、ｅＭＢＢ、ＵＲＬＬＣ、ｍＭＴＣなどの多様な無線サービスを実現するうえで有用である。
【０１１０】
＜実施例４＞  実施例４では、複数の異なる時間単位のスケジューリングが混在する無線フレームを許容する無線通信システム１が例示される。実施例４に係る無線通信システム１の一側面によれば、送信装置１０は、第２無線サービスの第２データに適用される変調方式に応じて、第２無線リソースに挿入される第２既知信号の配置パターンを決定する。実施例４に係る無線通信システム１の一側面によれば、受信装置２０は、第２無線サービスの第２データに適用される変調方式に応じて、第２無線リソースから抽出される第２既知信号の配置パターンを決定する。実施例４の一側面によれば、複数の異なる時間単位のスケジューリングが混在する無線フレーム構造において、より適切に無線通信を行うことができる。
【０１１１】
図１３は、実施例４に係る無線通信システム１の送信装置１０における処理の流れの一例を示す図である。図１３に例示される処理の流れは、任意のタイミングで実行されてもよい。例えば、送信装置１０において、第２スロット単位で第２無線リソースがスケジューリングされたことを契機として、図１３に例示される処理が実行されてもよい。
【０１１２】
送信装置１０は、第２スロット単位でスケジューリングされる第２無線リソースに第２サービスの送信データ（第２データとも称され得る）をマッピングし（Ｓ２０１）、さらに第２無線リソースの一部に所定の信号系列を有する既知信号（第１既知信号とも称され得る）を配置する（Ｓ２０２）。Ｓ２０２において、第１既知信号は、例えば、受信装置２０において第２無線リソースから第２データをデコードする際に用いられ得る復調用参照信号（ＤＭ−ＲＳ（DeModulation - Reference Signal）であってもよい。送信装置１０は、Ｓ２０１の処理と、Ｓ２０２の処理とを任意の順序で実行してもよい。例えば、送信装置１０は、Ｓ２０２の処理を実行した後に、Ｓ２０１の処理を実行するように構成されてもよい。
【０１１３】
送信装置１０は、第２無線リソースと時間軸方向で重複する時間範囲（第１領域とも称され得る）において、第１無線リソースがあるかを判定する（Ｓ２０３）。例えば、送信装置１０は、第２無線リソースと時間軸方向で重複する範囲である第１領域において、第２スロットとは異なる時間単位である第１スロット単位でスケジューリングされた第１無線リソースの割当てがあった場合に、第１領域において第１無線リソースがあると判定（Ｓ２０３でＹＥＳ）してもよい。また例えば、送信装置１０は、第２無線リソースと時間軸方向で重複する第１領域において、第１スロット単位で第１無線リソースが予約されている場合に、第１領域において第１無線リソースがあると判定（Ｓ２０３でＹＥＳ）してもよい。また例えば、第２無線リソースと時間軸方向で重複する範囲である第１領域において、第２スロットとは異なる時間単位である第１スロット単位でスケジューリングされた第１無線リソースの割当てがなく、かつ、第１領域において第１無線リソースが予約されていない場合、送信装置１０は、第１領域において第１無線リソースがないと判定（Ｓ２０３でＮＯ）してもよい。
【０１１４】
第２無線リソースと時間軸方向で重複する第１領域において第１無線リソースがあると判定した場合（Ｓ２０３でＹＥＳ）、送信装置１０は、第２無線リソースに適用される変調方式に応じて、第２無線リソースに挿入される第２既知信号の配置パターンを決定する（Ｓ２０７Ｃ）。Ｓ２０７Ｃにおいて、送信装置１０は、１シンボルに載せられる情報量（ビット数）が多い変調方式であるほど、第２無線リソースに配置される第２既知信号の個数が多くなるような配置パターンを選択してもよい。別言すると、２０７Ｃにおいて、送信装置１０は、１シンボルに載せられる情報量（ビット数）が少ない変調方式であるほど、第２無線リソースに配置される第２既知信号の個数が少なくなるような配置パターンを選択してもよい。
【０１１５】
図１４は、第２無線リソースに適用される変調方式と第２既知信号の配置パターンとの関係の一例を示す図である。図１４では、例えば、変調方式（Ｔ１０１）が「ＢＰＳＫ」、「ＱＰＳＫ」の場合、配置パターン（Ｔ１０２）が「ＴＹＰＥ−Ａ」であることが示される。
【０１１６】
図１５は、第２既知信号の配置パターン（ＴＹＰＥ−Ａ）の一例を示す図である。図１５では、図２に例示される第１領域における第２無線リソース（Ａ２１）が示される。別言すると、図１５に示される第１領域の第２無線リソース（Ａ２１）は、先頭から１０番目のシンボル（ｓ［９］）と、先頭から１１番目のシンボル（ｓ［１０］）とを含む。図１５に例示されるように、第２既知信号の配置パターン（ＴＹＰＥ−Ａ）では、第２既知信号が配置される個数は０個である。別言すると、第２既知信号の配置パターン（ＴＹＰＥ−Ａ）では、第２既知信号が配置されない。
【０１１７】
図１４の説明に戻る。図１４では、例えば、変調方式（Ｔ１０１）が「１６ＱＡＭ」、「６４ＱＡＭ」、「２５６ＱＡＭ」の場合、配置パターン（Ｔ１０２）が「ＴＹＰＥ−Ｂ」であることが示される。
【０１１８】
図１６は、第２既知信号の配置パターン（ＴＹＰＥ−Ｂ）の一例を示す図である。図１６では、図１５と同様に、図２に例示される第１領域における第２無線リソース（Ａ２１）が示される。図１６に例示されるように、第２既知信号の配置パターン（ＴＹＰＥ−Ｂ）では、第２既知信号が配置される個数は２個である。別言すると、第２既知信号の配置パターン（ＴＹＰＥ−Ｂ）は、先頭から１０番目のシンボル（ｓ［９］）において、４個のサブキャリア（ｋ［ｎ１］、ｋ［ｎ２］）に第２既知信号（Ａ２１−１−１、Ａ２１−１−２）が配置される。ここで、サブキャリア（ｋ［ｎ１］）及びサブキャリア（ｋ［ｎ２］）は、第１リソースブロック（ＲＢ［０］）に含まれる１２個のサブキャリア（ｓ［０］〜ｓ［１１］）から所定のロジックにより選択されたサブキャリアであってもよい。
【０１１９】
なお、第２既知信号の配置パターンは、二種類に限定されなくてもよい。別言すると、第２既知信号の配置パターンは、例えば、三種類以上であってもよい。
【０１２０】
図１７は、第２無線リソースに適用される変調方式と第２既知信号の配置パターンとの関係の他の一例を示す図である。図１７では、例えば、変調方式（Ｔ１０１Ａ）が「ＢＰＳＫ」、「ＱＰＳＫ」の場合、配置パターン（Ｔ１０２Ａ）が「ＴＹＰＥ−Ａ」であることが示される。第２既知信号の配置パターン（ＴＹＰＥ−Ａ）については、図１５に例示される配置パターンと同様であってもよいため、詳細な説明を省略する。
【０１２１】
図１７では、変調方式（Ｔ１０１Ａ）が「１６ＱＡＭ」の場合、配置パターン（Ｔ１０２Ａ）が「ＴＹＰＥ−Ｂ」であることが示される。第２既知信号の配置パターン（ＴＹＰＥ−Ｂ）については、図１６に例示される配置パターンと同様であってもよいため、詳細な説明を省略する。
【０１２２】
図１７では、変調方式（Ｔ１０１Ａ）が「６４ＱＡＭ」の場合、配置パターン（Ｔ１０２Ａ）が「ＴＹＰＥ−Ｃ」であることが示される。
【０１２３】
図１８は、第２既知信号の配置パターン（ＴＹＰＥ−Ｃ）の一例を示す図である。図１８では、図１５及び図１６と同様に、図２に例示される第１領域における第２無線リソース（Ａ２１）が示される。図１８に例示されるように、第２既知信号の配置パターン（ＴＹＰＥ−Ｃ）では、第２既知信号が配置される個数は４個である。別言すると、第２既知信号の配置パターン（ＴＹＰＥ−Ｃ）は、先頭から１０番目のシンボル（ｓ［９］）における４個のサブキャリア（ｋ［ｎ１］、ｋ［ｎ２］、ｋ［ｎ３］、ｋ［１１］）に、第２既知信号（Ａ２１−１−１乃至Ａ２１−１−４）が配置される。ここで、４個のサブキャリア（ｋ［ｎ１］、ｋ［ｎ２］、ｋ［ｎ３］、ｋ［１１］）は、第１リソースブロック（ＲＢ［０］）に含まれる１２個のサブキャリア（ｓ［０］〜ｓ［１１］）から所定のロジックにより選択されたサブキャリアであってもよい。
【０１２４】
図１７の説明に戻る。図１７では、変調方式（Ｔ１０１Ａ）が「２５６ＱＡＭ」の場合、配置パターン（Ｔ１０２Ａ）が「ＴＹＰＥ−Ｄ」であることが示される。
【０１２５】
図１９は、第２既知信号の配置パターン（ＴＹＰＥ−Ｄ）の一例を示す図である。図１９では、図１５及び図１６と同様に、図２に例示される第１領域における第２無線リソース（Ａ２１）が示される。図１９に例示されるように、第２既知信号の配置パターン（ＴＹＰＥ−Ｄ）では、第２既知信号が配置される個数は４個である。図１９において、第２既知信号の配置パターン（ＴＹＰＥ−Ｄ）では、１０番目のシンボル（ｓ［９］）における２個のサブキャリア（ｋ［ｎ２］、ｋ［ｎ４］）に、第２既知信号（Ａ２１−１−１、Ａ２１−１−２）が配置される。また、１１番目のシンボル（ｓ［１０］）における２個のサブキャリア（ｋ［ｎ１］、ｋ［ｎ３］）に、第２既知信号（Ａ２１−１−３、Ａ２１−１−４）が配置される。ここで、４個のサブキャリア（ｋ［ｎ１］、ｋ［ｎ２］、ｋ［ｎ３］、ｋ［ｎ４］）は、第１リソースブロック（ＲＢ［０］）に含まれる１２個のサブキャリア（ｓ［０］〜ｓ［１１］）から所定のロジックにより選択されたサブキャリアであってもよい。
【０１２６】
図１３の説明に戻る。送信装置１０は、Ｓ２０７Ｃにより決定された配置パターンに従って、第１領域に含まれる第２無線リソースの少なくとも一部をパンクチャリングする（Ｓ２０４）。Ｓ２０４において、送信装置１０は、Ｓ２０７Ｃにより決定された配置パターンに従って、第２既知信号が配置されるリソースエレメントに相当する箇所をパンクチャリングしてもよい。
【０１２７】
送信装置１０は、第１領域に含まれる第２無線リソースにおいてパンクチャリングした箇所に、第２既知信号を挿入する（Ｓ２０５）。Ｓ２０５において、送信装置１０は、上りリンクの場合、例えば、TS38.211§6.4.1.1.1 Sequence generation に示される手順に従って、第２既知信号の信号系列を生成してもよい。Ｓ２０５において、送信装置１０は、下りリンクの場合、例えば、TS38.211§7.4.1.1.1 Sequence generation に示される手順に従って、第２既知信号の信号系列を生成してもよい。
【０１２８】
一方、第２無線リソースと時間軸方向で重複する第１領域において第１無線リソースがないと判定した場合（Ｓ２０３でＮＯ）、上述のＳ２０４乃至Ｓ２０５の処理を実行せずにスキップしてもよい。
【０１２９】
以上が、図１３に例示される、実施例４に係る無線通信システム１の送信装置１０における処理の流れの一例である。なお、図１３に例示される処理の流れに、図３に例示される処理の流れを組み合わせてもよい。例えば、Ｓ２０３でＹＥＳと判定した後の任意のタイミングで、図３に例示されるＳ１０１乃至Ｓ１０３の処理を実行してもよい。
【０１３０】
図２０は、実施例４に係る無線通信システムの受信装置２０における処理の流れの一例を示す図である。図２０に例示される処理の流れは、任意のタイミングで実行されてもよい。例えば、受信装置２０において、第１スロットよりも長い第２スロット単位でスケジューリングされた第２無線リソースに相当する無線信号が受信されたことを契機として、図２０に例示される処理が実行されてもよい。なお、図２０の例示において、図８、図１０、又は図１２と同様の部分には、同じ参照符号を付している。
【０１３１】
受信装置２０は、第２無線リソースから第１既知信号を抽出し（Ｓ３０１）、抽出された第１既知信号に基づいて第２無線リソースをデコードする（Ｓ３０２）。Ｓ３０２において、受信装置２０は、第２無線リソースが第２既知信号を含むか否かを判別できないかもしれない。別言すると、第２無線リソースが第２既知信号を含む場合、Ｓ３０２において、受信装置２０は、第２既知信号が配置されたリソースエレメントから、第２無線リソースにマッピングされた第２サービスの送信データ（第２データとも称され得る）をデコードしようとするかも知れない。その場合、図８、図１０、又は図１２に示される例と同様に、受信装置２０は、第２無線リソースにマッピングされた第２データのデコードに失敗し得る。
【０１３２】
受信装置２０は、第２無線リソースと時間軸方向で重複する範囲（第１領域とも称され得る）において、第１無線リソースがあるかを判定する（Ｓ３０３）。Ｓ３０３において、受信装置２０は、第１領域に含まれる第１無線リソースにより第１サービスのデータ（第１データとも称され得る）を受信したかを判定してもよい。例えば、受信装置２０は、第２スロットよりも短い第１スロット単位でスケジューリングされた第１無線リソースにマッピングされたかも知れない第１サービスのデータ（第１データ）のデコードを試みてもよい。その結果、第１データのデコードに成功した場合、受信装置２０は、第１領域において第１無線リソースがあると判定してもよい（Ｓ３０３でＹＥＳ）。一方、第１データのデコードに失敗した場合、受信装置２０は、第１領域において第１無線リソースがないと判定してもよい（Ｓ３０３でＮＯ）。ここで、Ｓ３０３において、第１領域に含まれる第１無線リソースにより第１サービスのデータ（第１データとも称され得る）を受信したかを判定することは、第１領域において第１無線リソースがあるかを判定することの一例である。
【０１３３】
また例えば、Ｓ３０３において、受信装置２０は、第２無線リソースと重複する時間範囲（第１領域とも称され得る）において第１無線リソースが予約されているかを判定してもよい。例えば、受信装置２０は、第１領域において第１無線リソースが予約されている場合、第１領域に第１無線リソースがあると判定（Ｓ３０３でＹＥＳ）してもよい。例えば、受信装置２０は、第１領域において第１無線リソースが予約されていない場合、第１領域に第１無線リソースがないと判定（Ｓ３０３でＮＯ）してもよい。ここで、Ｓ３０３において、第１領域で第１無線リソースが予約されているかを判定することは、第１領域において第１無線リソースがあるかを判定することの一例である。
【０１３４】
受信装置２０は、第１領域において第１無線リソースがないと判定した場合（Ｓ３０３でＮＯ）、第１既知信号に基づく第２無線リソースのデコード結果（Ｓ３０２の結果）を、第２無線リソースのデコード結果として、図１２に例示される処理を終了してもよい。
【０１３５】
受信装置２０は、第１領域において第１無線リソースがあると判定した場合（Ｓ３０３でＹＥＳ）、第２無線リソースに適用される変調方式に応じて、第２既知信号の配置パターンを決定する（Ｓ３０７Ｃ）。Ｓ３０７Ｃにおいて、受信装置２０は、１シンボルに載せられる情報量（ビット数）が多い変調方式であるほど、第２無線リソースに配置される第２既知信号の個数が多くなるような配置パターンを選択してもよい。別言すると、３０７Ｃにおいて、受信装置２０は、１シンボルに載せられる情報量（ビット数）が少ない変調方式であるほど、第２無線リソースに配置される第２既知信号の個数が少なくなるような配置パターンを選択してもよい。第２無線リソースに適用される変調方式と第２既知信号の配置パターンとの関係は、図１４に示される例や、図１７に示される例などを参考にされたい。
【０１３６】
受信装置２０は、Ｓ３０７Ｃにより決定された配置パターンに従って、第１領域に含まれる第２無線リソースから、第２既知信号を抽出する（Ｓ３０４）。Ｓ３０４において、受信装置２０は、Ｓ３０７Ｃにより決定された配置パターンに従って、第２既知信号が配置されるリソースエレメントに相当する箇所から、第２既知信号を抽出してもよい。
【０１３７】
受信装置２０は、第２無線リソースのうち第１領域に含まれる部分を、抽出された第２既知信号に基づいてデコードする（Ｓ３０５）。Ｓ３０５において、受信装置２０は、第１領域に含まれる第２無線リソースのうち、第２既知信号に相当する部分を、デコード対象から除外し得る。そして、受信装置２０は、第１既知信号に基づくデコード結果（Ｓ３０２の結果）と、第２既知信号に基づくデコード結果（Ｓ３０５の結果）とを統合する（Ｓ３０６）。これにより、受信装置２０は、第２既知信号が配置されたリソースエレメントから、第２無線リソースにマッピングされた第２サービスの送信データ（第２データとも称され得る）をデコードしようとすることが避けられる。その結果、受信装置２０は、第２無線リソースのデコードに成功し得る。
【０１３８】
以上が、図２０に例示される、実施例４に係る無線通信システム１の受信装置２０における処理の流れの一例である。
【０１３９】
以上に開示される実施例４の一側面によれば、スケジューリングの時間単位が異なる複数の無線リソースが時間軸方向で重複する第１領域において、第２既知信号が挿入され得る。これにより、複数の異なる時間単位のスケジューリングが混在する無線フレームにおいて、第１既知信号と第２既知信号とに基づいて、第２無線リソースを適切にデコードすることができる。その結果、複数の異なる時間単位のスケジューリングが混在する無線フレーム構造を許容する無線通信システムにおいて、適切に無線通信を行うことができるようになる。このような作用は、５Ｇシステムにおいて、ｅＭＢＢ、ＵＲＬＬＣ、ｍＭＴＣなどの多様な無線サービスを実現するうえで有用である。
【０１４０】
以上に開示される実施例４の他の一側面によれば、送信装置１０は、第２無線リソースに適用される変調方式に応じて、第１領域に含まれる第２無線リソースに挿入される第２既知信号の配置パターンを決定し得る。例えば、１シンボルに載せられる情報量（ビット数）が多い変調方式であるほど、第２無線リソースに配置される第２既知信号の個数が多くなるような配置パターンが選択され得る。別言すると、１シンボルに載せられる情報量（ビット数）が少ない変調方式であるほど、第２無線リソースに配置される第２既知信号の個数が少なくなるような配置パターンが選択されてもよい。一般的に、１シンボルに載せられる情報量（ビット数）が多い変調方式であるほど、無線チャネル推定誤差やノイズや信号波形の歪に対する耐性が低くなる。そのため、１シンボルに載せられる情報量（ビット数）が多い変調方式であるほど、第２無線リソースに配置される第２既知信号を増やすことで、伝送品質の低下に対する耐性を確保したいかもしれない。別言すると、１シンボルに載せられる情報量（ビット数）が少ない変調方式であるほど、無線チャネル推定誤差やノイズや信号波形の歪に対する耐性が高まる。そのため、１シンボルに載せられる情報量（ビット数）が少ない変調方式であるほど、第２無線リソースに配置される第２既知信号を減らすことで、無線リソースの利用効率を向上させたいかもしれない。
【０１４１】
この様に、実施例４に係る送信装置１０は、第２無線リソースに適用される変調方式に応じて、第１領域に含まれる第２無線リソースに挿入される第２既知信号の配置パターンを決定し得る。これにより、複数の異なる時間単位のスケジューリングが混在する無線フレーム構造において、適切な無線通信の運用を可能としつつ、無線リソースの利用効率を向上させることができる。このような作用は、５Ｇシステムにおいて、ｅＭＢＢ、ＵＲＬＬＣ、ｍＭＴＣなどの多様な無線サービスを実現するうえで有用である。
【０１４２】
実施例４の他の一側面によれば、受信装置２０は、第２無線リソースに適用される変調方式に応じて、第１領域に含まれる第２無線リソースから抽出される第２既知信号の配置パターンを決定し得る。これにより、複数の異なる時間単位のスケジューリングが混在する無線フレーム構造において、適切な無線通信の運用を可能としつつ、無線リソースの利用効率を向上させることができる。このような作用は、５Ｇシステムにおいて、ｅＭＢＢ、ＵＲＬＬＣ、ｍＭＴＣなどの多様な無線サービスを実現するうえで有用である。
【０１４３】
＜ハードウェア構成＞  最後に、以上に開示する各実施例に用いられる装置のハードウェア構成について、簡単に説明する。図２１は、無線通信システム１における無線端末（ＵＥ）１００と無線基地局（ｇＮＢ）２００とのハードウェア構成の一例を示す図である。ＵＥ１００は、上りリンクにおける送信装置２０の一例であり、下りリンクにおける受信装置１０の一例である。ｇＮＢ２００は、上りリンクにおける受信装置２０の一例であり、下りリンクにおける送信装置１０の一例である。
【０１４４】
図２１におけるＵＥ１００は、無線通信回路１０１、処理回路１０２、メモリ１０３を有する。なお、図２１におけるＵＥ１００では、アンテナなどの一部の構成について、図示を省略している。また、ＵＥ１００は、液晶ディスプレイなどの表示装置や、タッチパネルなどの入力装置や、リチウムイオン二次電池（lithium-ion rechargeable battery）などのバッテリなどを備えてもよい。
【０１４５】
無線通信回路１０１は、処理回路１０２からベースバンド信号（無線信号、デジタル無線信号と称されてもよい）の供給を受けて、当該ベースバンド信号から所定の出力レベルの無線信号（第２の無線信号、アナログ無線信号と称されてもよい）を生成し、アンテナを介して無線信号を空間に放射するように構成される。これにより、ＵＥ１００は、ｇＮＢ２００に無線信号を送信することができる。また、無線通信回路１０１は、アンテナから入力される無線信号を受信し、無線信号をベースバンド信号に変換し、処理回路１０２にベースバンド信号を供給するように構成される。これにより、ＵＥ１００は、ｇＮＢ２００からの無線信号を受信することができる。上述のように、無線通信回路１０１は、無線信号の送受信が可能となるように構成され、ｇＮＢ２００との無線通信を行う機能を有する。
【０１４６】
無線通信回路１０１は、ＵＥ１００内部に実装された伝送回路を介して処理回路１０２と通信可能に接続され得る。この様な伝送回路としては、例えば、Ｍ−ＰＨＹ、Ｄｉｇ−ＲＦなどの規格に準拠した伝送回路が挙げられる。
【０１４７】
処理回路１０２（プロセッサ回路、演算回路と称されてもよい）は、ベースバンド信号処理を行うように構成される回路である。処理回路１０２は、無線通信システム１におけるプロトコルスタックに基づいてベースバンド信号（無線信号、デジタル無線信号と称されてもよい）を生成し、無線通信回路１０１にベースバンド信号を出力するように構成される。また、処理回路１０２は、無線通信回路１０１から入力されたベースバンド信号に対して、無線通信システム１におけるプロトコルスタックに基づいて復調・復号などの受信処理を行うように構成される。別言すれば、上りリンクにおいて、処理回路１０２は、無線通信の機能を複数のレイヤに分割したプロトコルスタックの手順に従って、ｇＮＢ２００宛ての第１データを上位層から下位レイヤへと送信データを順次処理して得られた第２データに基づいて、無線通信回路１０１に無線信号を送信させる回路としての側面を有する。また、処理回路１０２は、無線通信の機能を複数のレイヤに分割したプロトコルスタックの手順に従って、無線通信回路１０１を介して受信した無線信号を、下位レイヤから上位層へと順次処理する回路としての側面を有する。ここで、無線通信回路１０１からベースバンド信号の入力を受けることは、無線通信回路１０１を介してｇＮＢ２００からの無線信号を受信するという側面を有する。
【０１４８】
処理回路１０２は、例えば、メモリ１０３に格納されたプログラムを読みだして実行することで、上述の各実施例に係るＵＥ１００の動作を実現する演算装置であってもよい。別言すると、処理回路１０２は、上述の各実施例に係る送信装置１０の動作（例えば、図３、図１１、図１３に示される動作）や、受信装置２０の動作（例えば、図８、図１０、図１２、図２０に示される動作）における、処理の流れを実行する主体（演算装置とも称され得る）としての側面を有する。処理回路１０２として、例えば、ＣＰＵ（Central Processing Unit）、ＭＰＵ（Micro Processing Unit）、ＤＳＰ（Digital Signal Processor）、ＦＰＧＡ（Field Programmable Gate Array）、これらの組合せなどが挙げられる。なお、処理回路１０２は、二以上のコアを含むマルチコアプロセッサであっても良い。また、処理回路１０２は、無線通信システム１のプロトコルスタックにおける各レイヤに応じて、二以上の処理回路１０２を実装してもよい。
【０１４９】
処理回路１０２は、Ｃ−ＣＰＵと称されてもよい。ＵＥ１００は、処理回路１０２の他に、アプリケーションを実行するＡ−ＣＰＵとも称され得るプロセッサ回路を実装してもよい。なお、処理回路１０２は、Ａ−ＣＰＵとも称され得るプロセッサ回路とともに１チップで実装してもよいし、個別のチップとして実装してもよい。上述のように、処理回路１０２は、ＵＥ１００の動作を制御する機能を有する制御部としての側面を有する。
【０１５０】
メモリ１０３は、処理回路１０２で実行されるベースバンド信号処理に係るデータやプログラムを記憶保持するように構成される回路である。メモリ１０３は、不揮発性記憶装置と揮発性記憶装置の両方あるいは一方を少なくとも含んで構成される。たとえば、ＲＡＭ（Random Access Memory）、ＲＯＭ（Read Only Memory）、ＳＳＤ（Solid State Drive）、ＨＤＤ（Hard Disk Drive）などが挙げられる。図２１において、メモリ１０３は、主記憶装置及び補助記憶装置などの各種記憶装置を総称したものである。なお、メモリ１０３は、処理回路１０２と同様に、無線通信システム１のプロトコルスタックにおける各レイヤに応じて、二以上のメモリ１０３を実装してもよい。
【０１５１】
図２１に例示されるｇＮＢ２００は、無線通信回路２０１、処理回路２０２、メモリ２０３、有線通信回路２０４、を有する。
【０１５２】
無線通信回路２０１は、下りリンクにおいて、処理回路２０２からのベースバンド信号を受けて、ベースバンド信号から所定の出力レベルの無線信号を生成し、アンテナを介して無線信号を空間に放射するように構成される。また、無線通信回路２０１は、アップリンクにおいて、アンテナから入力される無線信号を受信し、無線信号をベースバンド信号に変換し、処理回路２０２へベースバンド信号を供給するように構成される。無線通信回路２０１は、ＣＰＲＩ（Common Public Radio Interface）などの伝送路を介して処理回路２０２と通信可能に接続させることも可能であり、ＲＲＨ（Remote Radii Head）、ＲＲＥ（Remote Radio Equipment）とも称され得る。また、無線通信回路２０１と処理回路２０２との組み合わせは、一対一に限定されるものではなく、一つの無線通信回路２０１に複数の処理回路２０２を対応付けたり、複数の無線通信回路２０１を一つの処理回路２０２に対応付けたり、複数の無線通信回路２０１を複数の処理回路２０２に対応付けることも可能である。上述のように、無線通信回路２０１は、ＵＥ１００との無線通信を行う機能を有する通信部（送受信部、第２の送受信部とも称され得る）としての側面を有する。
【０１５３】
処理回路２０２は、ベースバンド信号処理を行うように構成される回路である。処理回路２０２は、ダウンリンクにおいて、無線通信システムにおけるプロトコルスタックに基づいてベースバンド信号を生成し、無線通信回路２０１にベースバンド信号を出力するように構成される。また、処理回路２０２は、アップリンクにおいて、無線通信回路２０１から入力されたベースバンド信号に対して、無線通信システムにおけるプロトコルスタックに基づいて復調・復号などの受信処理を行うように構成される。別言すると、下りリンクにおいて、処理回路２０２は、無線通信の機能を複数のレイヤに分割したプロトコルスタックの手順に従って、受信装置としてのＵＥ１００宛ての送信データを、上位レイヤから下位レイヤへと順次処理して、無線通信回路２０１を介して送信する回路としての側面を有する。また、上りリンクにおいて、処理回路２０２は、無線通信の機能を複数のレイヤに分割したプロトコルスタックの手順に従って、無線通信回路２０１を介して受信した無線信号を、下位レイヤから上位レイヤへと順次処理する回路としての側面を有する。ここで、アップリンクにおいて、無線通信回路２０１からベースバンド信号の入力を受けることは、無線通信回路２０１を介してＵＥ１００からの無線信号を受信するという側面を有する。
【０１５４】
処理回路２０２は、例えば、メモリ２０３に格納されたプログラムを読みだして実行することで、上述の各実施例に係る送信装置１０の動作（例えば、図３、図１１、図１３に示される動作）や、受信装置２０の動作（例えば、図８、図１０、図１２、図２０に示される動作）における、処理の流れを実行する主体（演算装置と称されてもよい）としての側面を有する。処理回路２０２として、例えば、ＣＰＵ（Central Processing Unit）、ＭＰＵ（Micro Processing Unit）、ＤＳＰ（Digital Signal Processor）やＦＰＧＡ（Field Programmable Gate Array）などが挙げられる。なお、処理回路２０２は、二以上のコアを含むマルチコアプロセッサであっても良い。また、処理回路２０２は、無線通信システムのプロトコルスタックにおける各レイヤに応じて、二以上の処理回路２０２を実装してもよい。例えば、ＭＡＣレイヤに属するＭＡＣエンティティとしての処理を実行する処理回路２０２と、ＲＬＣレイヤに属するＲＬＣエンティティとしての処理を実行する処理回路２０２と、ＰＤＣＰレイヤに属するＰＤＣＰエンティティとしての処理を実行する処理回路２０２とを、個別に実装してもよい。上述のように、処理回路２０２は、ｇＮＢ２００の動作を制御する機能を有する制御部（ＵＥ１００の制御部と区別するために、第２の制御部と称されてもよい）としての側面を有する。例えば、処理回路２０２は、各種の設定情報（例えば第１の設定情報、第２の設定情報）をＵＥ１００に送信する処理を実行する。なお、各種の設定情報は、制御信号と称されてもよい。
【０１５５】
メモリ２０３は、処理回路２０２で実行されるベースバンド信号処理に係るデータやプログラムを記憶保持するように構成される回路である。メモリ２０３は、不揮発性記憶装置と揮発性記憶装置の両方あるいは一方を少なくとも含んで構成される。たとえば、ＲＡＭ（Random Access Memory）、ＲＯＭ（Read Only Memory）、ＳＳＤ（Solid State Drive）、ＨＤＤ（Hard Disk Drive）などが挙げられる。図２１において、メモリ２０３は、主記憶装置及び補助記憶装置などの各種記憶装置を総称したものである。なお、メモリ２０３は、処理回路２０２と同様に、無線通信システムのプロトコルスタックにおける各レイヤに応じて、二以上のメモリ２０３を実装してもよい。例えば、ＭＡＣレイヤに属するＭＡＣエンティティとしての処理に用いられるメモリ２０３と、ＲＬＣレイヤに属するＲＬＣエンティティとしての処理に用いられるメモリ２０３と、ＰＤＣＰレイヤに属するＰＤＣＰエンティティとしての処理に用いられるメモリ２０３とを、個別に実装してもよい。
【０１５６】
有線通信回路２０４は、他の装置へ出力可能なフォーマットのパケットデータに変換して他の装置へ送信したり、他の装置から受信したパケットデータからデータなどを抽出して、メモリ２０３や処理回路２０２などに出力したりする。他の装置の例としては、他の無線基地局やＭＭＥ（Mobility Management Entity）やＳＧＷ（Serving Gateway）などがあり得る。ＭＭＥやＳＧＷはコアノードとも称され、コアノードとの通信に用いられる論理的な通信インタフェースはＳ１インタフェースとも称され得る。他の無線基地局との通信に用いられる論理的な通信インタフェースはＸ２インタフェースとも称され得る。
【０１５７】
以上の詳細な説明により、本開示の特徴点及び利点は明らかになるであろう。これは、特許請求の範囲がその精神及び権利範囲を逸脱しない範囲で前述のような本開示の特徴点及び利点にまで及ぶことを意図するものである。また、当該技術分野において通常の知識を有する者であれば、あらゆる改良及び変更に容易に想到できるはずである。したがって、発明性を有する開示の範囲を前述したものに限定する意図はなく、本明細書に開示された範囲に含まれる適当な改良物及び均等物に拠ることも可能である。例えば、本明細書に開示の各工程は、必ずしも処理の流れの一例として説明された順序に沿って時系列に処理する必要はなく、特許請求の範囲に記載された本発明の要旨の範囲内において、工程の順序を入れ替えてもよく、あるいは複数の工程を並列的に実行してもよい。なお、以上の詳細な説明で明らかにされる５Ｇシステムに生じ得る事情は、５Ｇシステムを一側面から検討した場合に見出し得るものであり、他の側面から検討した場合には、他の事情が見出され得ることに留意されたい。別言すると、本発明の特徴点及び利点は、以上の詳細な説明に明記された事情を解決する用途に限定されるものではない。
【０１５８】
最後に、本開示における各実施例及び変形例の構成は、本発明の技術的思想を具体化するための一例を示したものであり、本発明をこれら各実施例及び変形例の構成に限定することを意図するものではなく、特許請求の範囲に含まれるその他の実施形態にも等しく適用し得るものである。例えば、本開示における用語は、今後の５Ｇシステムの仕様策定において、名称が変更され得ることに留意されたい。また、本開示における用語に対して列挙される一以上の別称は、相互に同義であり得ることに留意されたい。
【符号の説明】
【０１５９】
１  無線通信システム
１０  送信装置
２０  受信装置
１００  無線端末（ＵＥ）
１０１  無線通信回路
１０２  処理回路
１０３  メモリ
２００  無線基地局（ｇＮＢ）
２０１  無線通信回路
２０２  処理回路
２０３  メモリ
２０４  有線通信回路
【図１】
2019186983.tif 000003
【図２】
2019186983.tif 000004
【図３】
2019186983.tif 000005
【図４】
2019186983.tif 000006
【図５】
2019186983.tif 000007
【図６】
2019186983.tif 000008
【図７】
2019186983.tif 000009
【図８】
2019186983.tif 000010
【図９】
2019186983.tif 000011
【図１０】
2019186983.tif 000012
【図１１】
2019186983.tif 000013
【図１２】
2019186983.tif 000014
【図１３】
2019186983.tif 000015
【図１４】
2019186983.tif 000016
【図１５】
2019186983.tif 000017
【図１６】
2019186983.tif 000018
【図１７】
2019186983.tif 000019
【図１８】
2019186983.tif 000020
【図１９】
2019186983.tif 000021
【図２０】
2019186983.tif 000022
【図２１】
2019186983.tif 000023
【国際調査報告】
2019186983.tif 000024
2019186983.tif 000025
2019186983.tif 000026
2019186983.tif 000027